(57)【特許請求の範囲】
【請求項１】
受信デバイスにおけるワイヤレス通信のための方法であって、前記受信デバイスはユーザ機器（ＵＥ）であり、前記方法は、
ハイブリッド自動再送要求（ＨＡＲＱ）フィードバック動作が修正されるべきとの指示を受信することと、
データ送信を受信することと、
前記データ送信に応答してハイブリッド自動再送要求（ＨＡＲＱ）フィードバックとして含むための情報を決定するための条件を判断することと、
前記条件に少なくとも部分的に基づいてＨＡＲＱフィードバック動作を修正することと、を備え、
ＨＡＲＱフィードバックとして含むための情報を決定するための前記条件を判断することは、
変調および符号化スキーム（ＭＣＳ）インデックスを受信することと、
前記ＭＣＳインデックスが、ＭＣＳインデックスしきい値より小さいと決定し、前記決定に少なくとも部分的に基づいて、ＨＡＲＱフィードバックがオフにされるべきことを決定することを備える、方法。
【請求項２】
前記条件に少なくとも部分的に基づいて前記ＨＡＲＱフィードバック動作を修正することは、
否定応答（ＮＡＫ）報告を排除するために前記ＨＡＲＱフィードバック動作を修正することを備え、
ＮＡＫ報告を排除するために前記ＨＡＲＱフィードバック動作を修正することは、制御チャネルにおいて受信される指示に少なくとも部分的に基づいてＮＡＫ報告を排除することと、前記受信デバイスにおける基準信号の受信された電力が所定のしきい値を下回ることの決定に少なくとも部分的に基づいてＮＡＫ報告を排除することとのどちらか一方または両方を備える、請求項１に記載の方法。
【請求項３】
前記条件に少なくとも部分的に基づいて前記ＨＡＲＱフィードバック動作を修正することは、
肯定応答（ＡＣＫ）報告を排除するために前記ＨＡＲＱフィードバック動作を修正することを備える、請求項１に記載の方法。
【請求項４】
前記ＨＡＲＱフィードバック動作が修正されたことの指示を、前記データ送信を送った送信デバイスに送信することをさらに備える、請求項１に記載の方法。
【請求項５】
前記指示を送信することは、
非周期的な要求に応答して、または周期的に、前記指示を送信すること、または、
メディア・アクセス制御（ＭＡＣ）レイヤ・ペイロードの一部として、または物理レイヤ・ペイロードの一部として前記指示を含むことを備える、請求項４に記載の方法。
【請求項６】
受信デバイスにおけるワイヤレス通信のための装置であって、前記受信デバイスはユーザ機器（ＵＥ）であり、前記装置は、
ハイブリッド自動再送要求（ＨＡＲＱ）フィードバック動作が修正されるべきとの指示を受信するための手段と、
データ送信を受信するための手段と、
前記データ送信に応答してハイブリッド自動再送要求（ＨＡＲＱ）フィードバックとして含むための情報を決定するための条件を判断するための手段と、
前記条件に少なくとも部分的に基づいてＨＡＲＱフィードバック動作を修正するための手段と、を備え、
ＨＡＲＱフィードバックとして含むための情報を決定するための前記条件を判断するための前記手段は、
変調および符号化スキーム（ＭＣＳ）インデックスを受信することと、
前記ＭＣＳインデックスが、ＭＣＳインデックスしきい値より小さいと決定し、前記決定に少なくとも部分的に基づいて、ＨＡＲＱフィードバックがオフにされるべきことを決定することと、を備える、装置。
【請求項７】
前記条件に少なくとも部分的に基づいて前記ＨＡＲＱフィードバック動作を修正するための前記手段は、
否定応答（ＮＡＫ）報告を排除するために前記ＨＡＲＱフィードバック動作を修正するための手段を備える、請求項６に記載の装置。
【請求項８】
送信デバイスにおけるワイヤレス通信のための方法であって、前記送信デバイスは基地局であり、前記方法は、
ユーザ機器（ＵＥ）に、ハイブリッド自動再送要求（ＨＡＲＱ）フィードバック動作が修正されるべきとの指示を送ることと、
前記ＵＥにデータ送信を送信することと、
前記ＵＥからＨＡＲＱフィードバックの不在を受信することと、を備え、
前記ＨＡＲＱフィードバック動作が修正されるべきとの指示を送ることは、
変調および符号化スキーム（ＭＣＳ）インデックスしきい値より小さいＭＣＳインデックスをもつデータ送信のためのＨＡＲＱフィードバックを前記ＵＥがオフにすべきことを前記ＵＥに指示すために、前記ＭＣＳインデックスしきい値を送ること、を備える、方法。
【請求項９】
サウンディング基準信号（ＳＲＳ）送信を使用してチャネル条件を推定することと、
チャネル条件の前記推定に少なくとも基づいて修正されたＨＡＲＱ報告を予期するかどうかを決定することと、をさらに備える請求項８に記載の方法。
【請求項１０】
前記ＵＥからＨＡＲＱフィードバック動作修正指示を受信することをさらに備え、前記ＨＡＲＱフィードバック動作修正指示は、前記ＨＡＲＱフィードバック動作が修正されたことを指示する、請求項８に記載の方法。
【請求項１１】
前記ＨＡＲＱフィードバック動作修正指示を受信することは、
非周期的な要求に応答して、または周期的に、前記ＨＡＲＱフィードバック動作修正指示を受信することを備える、請求項１０に記載の方法。
【請求項１２】
前記ＨＡＲＱフィードバック動作修正指示を受信することは、
メディア・アクセス制御（ＭＡＣ）レイヤ・ペイロードの一部として、または物理レイヤ・ペイロードの一部として前記ＨＡＲＱフィードバック動作修正指示を受信することを備える、請求項１１に記載の方法。
【請求項１３】
送信デバイスにおけるワイヤレス通信のための装置であって、前記送信デバイスは基地局であり、前記装置は、
ユーザ機器（ＵＥ）に、ハイブリッド自動再送要求（ＨＡＲＱ）フィードバック動作が修正されるべきとの指示を送るための手段と、
前記ＨＡＲＱフィードバック動作が修正されるべきとの指示を送るための前記手段は、
変調および符号化スキーム（ＭＣＳ）インデックスしきい値より小さいＭＣＳインデックスをもつデータ送信のためのＨＡＲＱフィードバックを前記ＵＥがオフにすべきことを前記ＵＥに指示すために、前記ＭＣＳインデックスしきい値を送ること、を備え、
前記ＵＥにデータ送信を送信するための手段と、
前記指示にしたがってＨＡＲＱフィードバックの不在を受信するための手段と、を備える、装置。
【請求項１４】
サウンディング基準信号（ＳＲＳ）送信を使用してチャネル条件を推定するための手段と、
チャネル条件の前記推定に少なくとも基づいて修正されたＨＡＲＱ報告を予期するかどうかを決定するための手段と、をさらに備える請求項１３に記載の装置。
【請求項１５】
コンピュータ上で実行されると、請求項１乃至５のうちのいずれか１項のステップを実行するための命令を備えるコンピュータプログラム。
【請求項１６】
コンピュータ上で実行されると、請求項８乃至１２のうちのいずれか１項のステップを実行するための命令を備えるコンピュータプログラム。
【発明の詳細な説明】
【関連出願の相互参照】
【０００１】
[0001]  本願は、２０１６年３月２日に出願された「Simplified HARQ Management」と題する、Chen他による米国特許出願第１５／０５９，１５３号、および２０１５年３月６日に出願された「Simplified HARQ Management」と題する、Chen他による米国仮特許出願第６２／１２９，４９１号の優先権を主張し、これらの各々は、本譲受人に譲渡されている。
【技術分野】
【０００２】
[0002]  本開示は、例えば、ワイヤレス通信システムに関し、より具体的には、ハイブリッド自動再送要求（ＨＡＲＱ）フィードバック動作の管理に関する。
【背景技術】
【０００３】
[0003]  ワイヤレス通信システムは、音声、映像、パケット・データ、メッセージング、ブロードキャストなどのようなさまざまなタイプの通信コンテンツを提供するために広く展開されている。これらのシステムは、利用可能なシステム・リソース（例えば、時間、周波数、および電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（例えば、ロング・ターム・エボリューション（ＬＴＥ（登録商標））システム）を含む。
【０００４】
[0004]  例として、ワイヤレス多元接続通信システムは、複数の基地局を含み得、各々が、別名ユーザ機器（ＵＥ）として知られている複数の通信デバイスのための通信を同時にサポートする。基地局は、（例えば、基地局からＵＥへの送信のために）ダウンリンク（ＤＬ）チャネルおよび（例えば、ＵＥから基地局への送信のために）アップリンク（ＵＬ）チャネル上でＵＥと通信し得る。
【０００５】
[0005]  基地局およびＵＥ間の通信が、さまざまなフィードバック信号伝達の使用を含み得る。フィードバックの１つの形式は、ＨＡＲＱフィードバックである。ＨＡＲＱフィードバックは、受信デバイスによって送信デバイスに提供され得、送信デバイスへのさまざまな報告信号の送信を含み得る。例としての報告信号は、ＡＣＫ状態を示す肯定応答（ＡＣＫ）信号と、ＮＡＫ状態を示す否定応答（ＮＡＫ）を含み得る。ＵＥはまた、不連続送信（ＤＴＸ）状態であり得る。ＡＣＫ信号は、データ送信の成功した受信および復号に応答してＨＡＲＱフィードバックの一部として送信され得る。ＮＡＫ信号は、データ送信を受信したがそのデータ送信の復号の失敗に応答してＨＡＲＱフィードバックの一部として送信され得る。ＵＥがデータ送信の受信に失敗した場合、ＵＥはＤＴＸ状態にエントリし得る。
【０００６】
[0006]  しかしながら特定の状況において、例えば、ＨＡＲＱフィードバックが報告されるべき通信時間スロットが、信号シンボルの持続時間に合わせて減じられている場合（超低遅延（ＵＬＬ）の環境における場合のように）、ＨＡＲＱフィードバックの適時な報告は困難であり得る。
【発明の概要】
【０００７】
[0007]  例えば単一シンボルの持続時間と同じくらい短い通信時間スロットの使用が原因で、適時なハイブリッド自動再送要求（ＨＡＲＱ）フィードバックの提供が困難である状況において、ＨＡＲＱフィードバック動作は、修正され得る。いくつかの状況において、受信デバイスは、ＨＡＲＱフィードバックをオフにすることを決定し得る。他の状況において、受信デバイスは、ＨＡＲＱフィードバック動作を簡略化することを決定し得る。例えば、受信デバイスは、ＨＡＲＱフィードバックから否定応答（ＮＡＫ）報告を排除することを決定し得る。別の例では、受信デバイスは、ＨＡＲＱフィードバックから肯定応答（ＡＣＫ）報告を排除することを決定し得る。受信デバイスによる決定は、受信デバイスにより判断された条件に基づいてなされ得る。判断された条件は、送信デバイスから受信された信号伝達を含み得、チャネルまたはトラフィック条件を含み得る。ＨＡＲＱフィードバック動作を修正することの決定は、受信デバイスによるチャネル品質インジケータ（ＣＱＩ）、および送信デバイスによる変調および符号化スキーム（ＭＣＳ）の使用に影響を与え得る。
【０００８】
[0008]  例示的な例の第１のセットにおいて、受信デバイスにおけるワイヤレス通信のための方法が説明される。その方法は、データ送信を受信することと、データ送信に応答してＨＡＲＱフィードバックとして含むための情報を決定するための条件を判断することとを含み得る。方法はまた、その条件に少なくとも部分的に基づいてＨＡＲＱフィードバック動作を修正することを含み得る。
【０００９】
[0009]  方法のいくつかの実施形態において、ＨＡＲＱフィードバックがオフにされるべきであることを指示するデバイス構成（device configuration）を受信することをさらに備え、ここにおいてデバイス構成は、判断されるべき条件である。代わって、方法は、データ送信のためのＨＡＲＱフィードバックがオフにされるべきであることの指示を制御チャネルにおいて受信すること含み得、ここにおいて指示は、判断されるべき条件である。ＨＡＲＱフィードバックとして含むための情報を決定するための条件を判断することは、受信デバイスが電力制限されていることを決定することと、その決定に少なくとも部分的に基づいて、ＨＡＲＱフィードバックがオフにされるべきことを決定することとを含み得る。ＨＡＲＱフィードバックとして含むための情報を決定するための条件を判断することはまた、ＭＣＳインデックスを受信することと、ＭＣＳインデックスがＭＣＳインデックスしきい値を下回ることを決定することと、その決定に少なくとも部分的に基づいて、ＨＡＲＱフィードバックがオフにされるべきことを決定することとを含み得る。ＭＣＳインデックスしきい値は、予め決められ得るか、無線リソース制御（ＲＲＣ）信号伝達を介して受信され得る。
【００１０】
[0010]  いくつかの実施形態では、条件に少なくとも部分的に基づいてＨＡＲＱフィードバック動作を修正することは、ＮＡＫ報告を排除するためにＨＡＲＱフィードバック動作を修正することを含み得る。ＮＡＫ報告は、制御チャネルにおいて受信される指示に少なくとも部分的に基づいて排除され得る。ＮＡＫ報告はまた、受信デバイスにおいて受信された基準信号の電力が所定のしきい値を下回ることの決定に少なくとも部分的に基づいて排除され得る。
【００１１】
[0011]  いくつかの実施形態では、条件に少なくとも部分的に基づいてＨＡＲＱフィードバック動作を修正することは、ＡＣＫ報告を排除するためにＨＡＲＱフィードバック動作を修正することを含み得る。ＡＣＫ報告を排除することは、制御チャネルにおいて受信される指示に少なくとも部分的に基づき得る。ＡＣＫ報告を排除することは、受信デバイスが電力制限されていることの決定に少なくとも部分的に基づき得る。ＡＣＫ報告を排除することは、受信デバイスにおいて受信された基準信号の電力が所定のしきい値を上回ることの決定に少なくとも部分的に基づき得る。
【００１２】
[0012]  いくつかの態様では、ＨＡＲＱフィードバックとして含むための情報を決定するための条件を判断することは、チャネルまたはトラフィック条件を決定することを含み得る。他の態様では、条件に少なくとも部分的に基づいてＨＡＲＱフィードバック動作を修正することは、データ送信のために使用される送信時間インターバル（ＴＴＩ）より長いＴＴＩをＨＡＲＱフィードバックのために使用することを含み得る。いくつかの態様では、方法は、ＨＡＲＱフィードバック動作が修正されたことの指示を、データ送信を送った送信デバイスに送信することをさらに含み得る。指示は、非周期的な要求に応答して、または周期的に、送信され得る。指示は、メディア・アクセス制御（ＭＡＣ）レイヤ・ペイロードの一部として、または物理レイヤ・ペイロードの一部として送信され得る。
【００１３】
[0013]  例示的な例の第２のセットにおいて、受信デバイスにおけるワイヤレス通信のための装置が説明される。その装置は、データ送信を受信するための手段と、データ送信に応答してＨＡＲＱフィードバックとして含むための情報を決定するための条件を判断するための手段とを含み得る。装置はさらに、その条件に少なくとも部分的に基づいてＨＡＲＱフィードバック動作を修正するための手段を含み得る。いくつかの例において、装置はさらに、例示的な例の第１のセットに関して上述されたワイヤレス通信のための方法の１つまたは複数の態様をインプリメントするための手段を含み得る。
【００１４】
[0014]  例示的な例の第３のセットにおいて、受信デバイスにおけるワイヤレス通信のための別の装置が説明される。装置は、プロセッサ、プロセッサと電子通信状態にあるメモリ、およびメモリに記憶された命令を含み得る。その命令は、データ送信を受信することと、データ送信に応答してＨＡＲＱフィードバックとして含むための情報を決定するための条件を判断することとを、プロセッサによって実行可能であり得る。命令はさらに、その条件に少なくとも部分的に基づいてＨＡＲＱフィードバック動作を修正することを、プロセッサによって実行可能であり得る。いくつかの例において、命令はまた、例示的な例の第１のセットに関して上述されたワイヤレス通信のための方法の１つまたは複数の態様をインプリメントすることをプロセッサによって実行可能であり得る。
【００１５】
[0015]  例示的な例の第４のセットにおいて、受信デバイスにおけるワイヤレス通信のためのコンピュータ実行可能コードを記憶する非一時的コンピュータ可読媒体が説明される。そのコードは、データ送信を受信することと、データ送信に応答してＨＡＲＱフィードバックとして含むための情報を決定するための条件を判断することとを、プロセッサによって実行可能であり得る。コードはまた、その条件に少なくとも部分的に基づいてＨＡＲＱフィードバック動作を修正することを、プロセッサによって実行可能であり得る。いくつかの例において、コードはまた、例示的な例の第１のセットに関して上述されたワイヤレス通信のための方法の１つまたは複数の態様をインプリメントするために使用され得る。
【００１６】
[0016]  例示的な例の第５のセットにおいて、送信デバイスにおけるワイヤレス通信のための方法が説明される。方法は、ＨＡＲＱフィードバック動作が修正されるべきことの指示を送信することと、その指示にしたがってＨＡＲＱフィードバックの不在またはＨＡＲＱフィードバックを受信することと、を含み得る。
【００１７】
[0017]  方法の特定の態様において、ＨＡＲＱフィードバック動作が修正されるべきことの指示を送信することは、ＨＡＲＱフィードバックがオフにされるべきことを指示するデバイス構成を送信することを含み得る。ＨＡＲＱフィードバック動作が修正されるべきことの指示を送信することはまた、ＨＡＲＱフィードバックがオフにされるべきことの指示を制御チャネルにおいて送信することを含み得る。ＨＡＲＱフィードバック動作が修正されるべきことの指示を送信することは、ＭＣＳインデックスしきい値を下回るＭＣＳインデックスを有するデータ送信に関して受信デバイスがＨＡＲＱフィードバックをオフにするべきことを受信デバイスに指示するために、ＭＣＳインデックスしきい値を送信することをさらに含み得る。ＭＣＳインデックスしきい値は、ＲＲＣ信号伝達を介して送信され得る。
【００１８】
[0018]  いくつかの態様では、ＨＡＲＱフィードバック動作が修正されるべきことの指示を送信することは、ＨＡＲＱフィードバック動作がＮＡＫ報告を排除することによって修正されるべきことの指示を送信することを含み得る。かわって、ＨＡＲＱフィードバック動作が修正されるべきことの指示を送信することは、ＨＡＲＱフィードバック動作がＡＣＫ報告を排除することによって修正されるべきことの指示を送信することを含み得る。指示は、制御チャネルにおいて送信され得る。
【００１９】
[0019]  いくつかの実施形態では、方法はさらに、サウンディング基準信号（ＳＲＳ：sounding reference signal）送信を使用してチャネル条件を推定することと、チャネル条件の推定に少なくとも部分的に基づいて修正されたＨＡＲＱ報告を予期するかどうかを決定することと、を含み得る。他の実施形態では、指示にしたがってＨＡＲＱフィードバックの不在またはＨＡＲＱフィードバックを受信することは、ＨＡＲＱフィードバックが反応するデータ送信のために使用されるＴＴＩより長いＴＴＩでＨＡＲＱフィードバックを受信することを含み得る。
【００２０】
[0020]  いくつかの態様では、方法はさらに、ＨＡＲＱフィードバックを提供するデバイスからＨＡＲＱフィードバック動作修正指示を受信することを含み得、ＨＡＲＱフィードバック動作修正指示は、ＨＡＲＱフィードバック動作が修正されたことを指示する。ＨＡＲＱフィードバック動作修正指示を受信することは、非周期的な要求に応答して、または周期的に、ＨＡＲＱフィードバック動作修正指示を受信することを含み得る。ＨＡＲＱフィードバック動作修正指示を受信することは、ＭＡＣレイヤ・ペイロードの一部として、または物理レイヤ・ペイロードの一部としてＨＡＲＱフィードバック動作修正指示を受信することを含み得る。
【００２１】
[0021]  例示的な例の第６のセットにおいて、送信デバイスにおけるワイヤレス通信のための装置が説明される。装置は、ＨＡＲＱフィードバック動作が修正されるべきことの指示を送信するための手段と、その指示にしたがってＨＡＲＱフィードバックの不在またはＨＡＲＱフィードバックを受信するための手段と、を含み得る。いくつかの例において、装置はさらに、例示的な例の第５のセットに関して上述されたワイヤレス通信のための方法の１つまたは複数の態様をインプリメントするための手段を含み得る。
【００２２】
[0022]  例示的な例の第７のセットにおいて、送信デバイスにおけるワイヤレス通信のための別の装置が説明される。装置は、プロセッサ、プロセッサと電子通信状態にあるメモリ、およびメモリに記憶された命令を含み得る。命令は、ＨＡＲＱフィードバック動作が修正されるべきことの指示を送信することと、その指示にしたがってＨＡＲＱフィードバックの不在またはＨＡＲＱフィードバックを受信することと、をプロセッサによって実行可能であり得る。いくつかの例において、命令はまた、例示的な例の第５のセットに関して上述されたワイヤレス通信のための方法の１つまたは複数の態様をインプリメントすることをプロセッサによって実行可能であり得る。
【００２３】
[0023]  例示的な例の第８のセットにおいて、送信デバイスにおけるワイヤレス通信のためのコンピュータ実行可能コードを記憶する非一時的コンピュータ可読媒体が説明される。コードは、ＨＡＲＱフィードバック動作が修正されるべきことの指示を送信することと、その指示にしたがってＨＡＲＱフィードバックの不在またはＨＡＲＱフィードバックを受信することと、をプロセッサによって実行可能であり得る。いくつかの例において、コードはまた、例示的な例の第５のセットに関して上述されたワイヤレス通信のための方法の１つまたは複数の態様をインプリメントするために使用され得る。
【００２４】
[0024]  例示的な例の第９のセットにおいて、受信デバイスにおけるワイヤレス通信のための方法が説明される。方法は、送信デバイスに報告するための複数のＣＱＩインデックスからＣＱＩインデックスを決定することを含み得、複数のＣＱＩインデックスのうちの少なくともいくつかは、異なるターゲット・ブロック・エラー・レート（ＢＬＥＲ）に関連付けされる。方法はまた、ＣＱＩインデックスを報告することを含み得る。
【００２５】
[0025]  方法のいくつかの実施形態では、方法はさらに、ＣＱＩインデックスが関連するデータ送信に応答してＨＡＲＱフィードバックを提供するかどうかの決定に少なくとも部分的に基づいて、複数のＣＱＩインデックスの少なくともいくつかと異なるＢＬＥＲを関連付けすることを含み得る。ＣＱＩインデックスを決定することは、複数のＣＱＩインデックスと２つの異なるＢＬＥＲを関連付けすることと、ここにおいてより低いＢＬＥＲは、複数のＣＱＩインデックスの少なくともいくつかと関連付けされる、ＣＱＩインデックスが関連するデータ送信に応答してＨＡＲＱを提供しないことの決定に少なくとも部分的に基づいて複数のＣＱＩインデックスの少なくともいくつかからＣＱＩインデックスを決定することと、を含み得る。方法はまた、チャネル条件に少なくとも部分的に基づいてＨＡＲＱフィードバックを提供しないことを決定することを含み得る。
【００２６】
[0026]  例示的な例の第１０のセットにおいて、受信デバイスにおけるワイヤレス通信のための装置が説明される。装置は、送信デバイスに報告するための複数のＣＱＩインデックスからＣＱＩインデックスを決定するための手段を含み得、複数のＣＱＩインデックスのうちの少なくともいくつかは、異なるターゲットＢＬＥＲに関連付けされる。装置はまた、ＣＱＩインデックスを報告するための手段を含み得る。いくつかの例において、装置はさらに、例示的な例の第９のセットに関して上述されたワイヤレス通信のための方法の１つまたは複数の態様をインプリメントするための手段を含み得る。例えば、装置は、ＣＱＩインデックスが関連するデータ送信に応答してＨＡＲＱフィードバックを提供するかどうかの決定に少なくとも部分的に基づいて、複数のＣＱＩインデックスのうちの少なくともいくつかと異なるＢＬＥＲを関連付けするための手段を含み得る。
【００２７】
[0027]  いくつかの場合では、装置は、複数のＣＱＩインデックスと２つの異なるＢＬＥＲを関連付けするための手段を含み得、ここにおいてより低いＢＬＥＲは、複数のＣＱＩインデックスのうちの少なくともいくつかと関連付けされる。装置はまた、ＣＱＩインデックスが関連するデータ送信に応答してＨＡＲＱフィードバックを提供しないことの決定に少なくとも部分的に基づいて、複数のＣＱＩインデックスのうちの少なくともいくつかからＣＱＩインデックスを決定するための手段を含み得る。いくつかの例では、装置は、チャネル条件に少なくとも部分的に基づいてＨＡＲＱフィードバックを提供しないことを決定することを含み得る。
【００２８】
[0028]  例示的な例の第１１のセットにおいて、受信デバイスにおけるワイヤレス通信のための別の装置が説明される。装置は、プロセッサ、プロセッサと電子通信状態にあるメモリ、およびメモリに記憶された命令を含み得る。命令は、送信デバイスに報告するための複数のＣＱＩインデックスからＣＱＩインデックスを決定することをプロセッサによって実行可能であり得、複数のＣＱＩインデックスのうちの少なくともいくつかは、異なるターゲットＢＬＥＲに関連付けされる。命令はまた、ＣＱＩインデックスを報告することをプロセッサによって実行可能であり得る。いくつかの例において、命令はまた、例示的な例の第９のセットに関して上述されたワイヤレス通信のための方法の１つまたは複数の態様をインプリメントすることをプロセッサによって実行可能であり得る。例えば、命令は、ＣＱＩインデックスが関連するデータ送信に応答してＨＡＲＱフィードバックを提供するかどうかの決定に少なくとも部分的に基づいて、複数のＣＱＩインデックスのうちの少なくともいくつかと異なるＢＬＥＲを関連付けすることを実行可能であり得る。
【００２９】
[0029]  いくつかの場合では、命令は、複数のＣＱＩインデックスと２つの異なるＢＬＥＲを関連付けすることをプロセッサによって実行可能であり得、ここにおいてより低いＢＬＥＲは、複数のＣＱＩインデックスのうちの少なくともいくつかと関連付けされる。命令はまた、ＣＱＩインデックスが関連するデータ送信に応答してＨＡＲＱフィードバックを提供しないことの決定に少なくとも部分的に基づいて、複数のＣＱＩインデックスのうちの少なくともいくつかからＣＱＩインデックスを決定することをプロセッサによって実行可能であり得る。いくつかの例では、命令は、チャネル条件に少なくとも部分的に基づいてＨＡＲＱフィードバックを提供しないことを決定することをプロセッサによって実行可能であり得る。
【００３０】
[0030]  例示的な例の第１２のセットにおいて、受信デバイスにおけるワイヤレス通信のためのコンピュータ実行可能コードを記憶する非一時的コンピュータ可読媒体が説明される。コードは、送信デバイスに報告するための複数のＣＱＩインデックスからＣＱＩインデックスを決定することをプロセッサによって実行可能であり得、複数のＣＱＩインデックスのうちの少なくともいくつかは、異なるターゲットＢＬＥＲと関連付けされる。コードはまた、ＣＱＩインデックスを報告することをプロセッサによって実行可能であり得る。いくつかの例において、コードはまた、例示的な例の第９のセットに関して上述されたワイヤレス通信のための方法の１つまたは複数の態様をインプリメントするために使用され得る。例えば、コードは、ＣＱＩインデックスが関連するデータ送信に応答してＨＡＲＱフィードバックを提供するかどうかの決定に少なくとも部分的に基づいて、複数のＣＱＩインデックスのうちの少なくともいくつかと異なるＢＬＥＲを関連付けすることをプロセッサによって実行可能であり得る。
【００３１】
[0031]  いくつかの場合では、コードは、複数のＣＱＩインデックスと２つの異なるＢＬＥＲを関連付けすることをプロセッサによって実行可能であり得、ここにおいてより低いＢＬＥＲは、複数のＣＱＩインデックスのうちの少なくともいくつかと関連付けされる。コードはまた、ＣＱＩインデックスが関連するデータ送信に応答してＨＡＲＱフィードバックを提供しないことの決定に少なくとも部分的に基づいて、複数のＣＱＩインデックスのうちの少なくともいくつかからＣＱＩインデックスを決定することをプロセッサによって実行可能であり得る。いくつかの例では、コードは、チャネル条件に少なくとも部分的に基づいてＨＡＲＱフィードバックを提供しないことを決定することをプロセッサによって実行可能であり得る。
【００３２】
[0032]  例示的な例の第１３のセットにおいて、送信デバイスにおけるワイヤレス通信のための方法が説明される。方法は、受信デバイスへのデータ送信における使用のために複数のＭＣＳインデックスから１つのＭＣＳインデックスを決定することを含み得、複数のＭＣＳインデックスのうちの少なくともいくつかは、異なるターゲットＢＬＥＲと関連付けされる。方法はまた、ＭＣＳインデックスを使用して受信デバイスにデータ送信を送信することを含み得る。
【００３３】
[0033]  方法のいくつかの実施形態では、方法はさらに、受信デバイスがＨＡＲＱフィードバックを報告するかどうかに少なくとも部分的に基づいて複数のＭＣＳインデックスのうちの少なくともいくつかと異なるＢＬＥＲを関連付けすることを含み得る。ＭＣＳインデックスを決定することは、複数のＭＣＳインデックスと２つの異なるＢＬＥＲを関連付けすることと、ここにおいてより低いＢＬＥＲは、複数のＭＣＳインデックスの少なくともいくつかと関連付けされる、受信デバイスがＨＡＲＱフィードバックを提供していないことの決定に少なくとも部分的に基づいて複数のＭＣＳインデックスのうちの少なくともいくつかからＭＣＳインデックスを決定することと、を含み得る。方法はさらに、受信デバイスがチャネル条件に少なくとも部分的に基づいてＨＡＲＱフィードバックを提供していないことを決定することを含み得る。
【００３４】
[0034]  例示的な例の第１４のセットにおいて、送信デバイスにおけるワイヤレス通信のための装置が説明される。装置は、受信デバイスへのデータ送信における使用のために複数のＭＣＳインデックスから１つのＭＣＳインデックスを決定するための手段を含み得、複数のＭＣＳインデックスのうちの少なくともいくつかは、異なるターゲットＢＬＥＲに関連付けされる。装置はさらに、ＭＣＳインデックスを使用して受信デバイスにデータ送信を送信するための手段を含み得る。いくつかの例において、装置はさらに、例示的な例の第１３のセットに関して上述されたワイヤレス通信のための方法の１つまたは複数の態様をインプリメントするための手段を含み得る。例えば、装置は、受信デバイスがＨＡＲＱフィードバックを報告するかどうかに少なくとも部分的に基づいて複数のＭＣＳインデックスのうちの少なくともいくつかと異なるＢＬＥＲを関連付けするための手段を含み得る。
【００３５】
[0035]  いくつかの場合では、装置は、複数のＭＣＳインデックスと２つの異なるＢＬＥＲを関連付けするための手段を含み得、ここにおいてより低いＢＬＥＲは、複数のＭＣＳインデックスのうちの少なくともいくつかと関連付けされる。装置はまた、受信デバイスがＨＡＲＱフィードバックを提供していないことの決定に少なくとも部分的に基づいて、複数のＭＣＳインデックスのうちの少なくともいくつかからＭＣＳインデックスを決定するための手段を含み得る。いくつかの例では、装置は、受信デバイスがチャネル条件に少なくとも部分的に基づいてＨＡＲＱフィードバックを提供していないことを決定するための手段を含み得る。
【００３６】
[0036]  例示的な例の第１５のセットにおいて、送信デバイスにおけるワイヤレス通信のための別の装置が説明される。装置は、プロセッサ、プロセッサと電子通信状態にあるメモリ、およびメモリに記憶された命令を含み得る。命令は、受信デバイスへのデータ送信における使用のために複数のＭＣＳインデックスから１つのＭＣＳインデックスを決定することをプロセッサによって実行可能であり得、複数のＭＣＳインデックスのうちの少なくともいくつかは、異なるターゲットＢＬＥＲに関連付けされる。命令はまた、ＭＣＳインデックスを使用して受信デバイスにデータ送信を送信することをプロセッサによって実行可能であり得る。いくつかの例において、命令はまた、例示的な例の第１３のセットに関して上述されたワイヤレス通信のための方法の１つまたは複数の態様をインプリメントすることをプロセッサによって実行可能であり得る。例えば、命令は、受信デバイスがＨＡＲＱフィードバックを報告するかどうかに少なくとも部分的に基づいて複数のＭＣＳインデックスのうちの少なくともいくつかと異なるＢＬＥＲを関連付けすることをプロセッサによって実行可能であり得る。
【００３７】
[0037]  いくつかの場合では、命令は、複数のＭＣＳインデックスと２つの異なるＢＬＥＲを関連付けすることをプロセッサによって実行可能であり得、ここにおいてより低いＢＬＥＲは、複数のＭＣＳインデックスのうちの少なくともいくつかと関連付けされる。命令はまた、受信デバイスがＨＡＲＱフィードバックを提供していないことの決定に少なくとも部分的に基づいて、複数のＭＣＳインデックスのうちの少なくともいくつかからＭＣＳインデックスを決定することをプロセッサによって実行可能であり得る。いくつかの例では、命令は、受信デバイスがチャネル条件に少なくとも部分的に基づいてＨＡＲＱフィードバックを提供していないことを決定することをプロセッサによって実行可能である。
【００３８】
[0038]  例示的な例の第１６のセットにおいて、送信デバイスにおけるワイヤレス通信のためのコンピュータ実行可能コードを記憶する非一時的コンピュータ可読媒体が説明される。コードは、受信デバイスへのデータ送信における使用のために複数のＭＣＳインデックスから１つのＭＣＳインデックスを決定することをプロセッサによって実行可能であり得、複数のＭＣＳインデックスのうちの少なくともいくつかは、異なるターゲットＢＬＥＲと関連付けされる。コードはまた、ＭＣＳインデックスを使用して受信デバイスにデータ送信を送信することをプロセッサによって実行可能であり得る。いくつかの例において、コードはまた、例示的な例の第１３のセットに関して上述されたワイヤレス通信のための方法の１つまたは複数の態様をインプリメントするために使用され得る。例えば、コードは、受信デバイスがＨＡＲＱフィードバックを報告するかどうかに少なくとも部分的に基づいて複数のＭＣＳインデックスのうちの少なくともいくつかと異なるＢＬＥＲを関連付けすることをプロセッサによって実行可能であり得る。
【００３９】
[0039]  いくつかの場合では、コードは、複数のＭＣＳインデックスと２つの異なるＢＬＥＲを関連付けすることをプロセッサによって実行可能であり得、ここにおいてより低いＢＬＥＲは、複数のＭＣＳインデックスのうちの少なくともいくつかと関連付けされる。コードはまた、受信デバイスがＨＡＲＱフィードバックを提供していないことの決定に少なくとも部分的に基づいて、複数のＭＣＳインデックスのうちの少なくともいくつかからＭＣＳインデックスを決定することをプロセッサによって実行可能であり得る。いくつかの例では、コードは、受信デバイスがチャネル条件に少なくとも部分的に基づいてＨＡＲＱフィードバックを提供していないことを決定することをプロセッサによって実行可能であり得る。
【００４０】
[0040]  前述は、以下の詳細な説明がより良く理解され得るように、本開示にしたがった例の特徴および技術的利点をやや広く概説している。さらなる特徴および利点が以下に説明される。開示される概念および具体的な例は、本開示と同じ目的を実行するために、他の構造を改良または設計するための基礎として容易に利用され得る。このような等価な構成体（construction）は、添付の特許請求の範囲から逸脱しない。本書に開示される概念の特性、それらの構成および動作の方法の両方は、関連する利点とともに、添付の図に関連して検討された場合、以下の説明からより一層理解されるであろう。これらの図の各々は、例示および説明の目的のためだけに提供され、特許請求の範囲の限定の定義として提供されるものではない。
【００４１】
[0041]  本開示の本質および利点のさらなる理解は、以下の図面を参照することによって実現され得る。添付の図面において、同様のコンポーネントまたは特徴は、同じ参照ラベルを有し得る。さらに、同じタイプのさまざまなコンポーネントは、参照ラベルに、ダッシュと、同様のコンポーネント間を区別する第２のラベルとを後続させることによって区別され得る。本書で第１の参照ラベルのみが使用される場合、その説明は、第２の参照ラベルに関係なく同じ第１の参照ラベルを有する同様のコンポーネントのうちのいずれか１つに適用可能である。
【図面の簡単な説明】
【００４２】
【図１】[0042]  図１は、本開示のさまざまな態様にしたがって修正されたハイブリッド自動再送要求（ＨＡＲＱ）フィードバック動作をサポートするワイヤレス通信システムの例を例示する。
【図２】[0043]  図２は、本開示のさまざまな態様にしたがって修正されたＨＡＲＱフィードバック動作をサポートするワイヤレス通信システムの例を例示する。
【図３】[0044]  図３は、本開示のさまざまな態様にしたがって修正されたＨＡＲＱフィードバック動作をサポートするチャネル構造の例を例示する。
【図４】[0045]  図４は、本開示のさまざまな態様にしたがって修正されたＨＡＲＱフィードバック動作をサポートするシステムに関わるプロセス・フローの例を例示する。
【図５】[0046]  図５は、本開示のさまざまな態様にしたがって修正されたＨＡＲＱフィードバック動作をサポートするシステムに関わるプロセス・フローの例を例示する。
【図６】[0047]  図６は、本開示のさまざまな態様にしたがって修正されたＨＡＲＱフィードバック動作をサポートするシステムに関わるプロセス・フローの例を例示する。
【図７】[0048]  図７は、本開示のさまざまな態様にしたがって、修正されたＨＡＲＱフィードバック動作をサポートするワイヤレス・デバイスのブロック図を示す。
【図８】図８は、本開示のさまざまな態様にしたがって、修正されたＨＡＲＱフィードバック動作をサポートするワイヤレス・デバイスのブロック図を示す。
【図９】[0049]  図９は、本開示のさまざまな態様にしたがって修正されたＨＡＲＱフィードバック動作をサポートするユーザ機器（ＵＥ）を含むシステムを例示する。
【図１０】[0050]  図１０は、本開示のさまざまな態様にしたがって、修正されたＨＡＲＱフィードバック動作をサポートするワイヤレス・デバイスのブロック図を示す。
【図１１】図１１は、本開示のさまざまな態様にしたがって、修正されたＨＡＲＱフィードバック動作をサポートするワイヤレス・デバイスのブロック図を示す。
【図１２】[0051]  図１２は、本開示のさまざまな態様にしたがって、修正されたＨＡＲＱフィードバック動作をサポートする基地局を含むシステムを例示する。
【図１３】[0052]  本開示のさまざまな態様にしたがった、多入力／多出力通信システムの図を示す。
【図１４】[0053]  図１４は、本開示のさまざまな態様にしたがった、ワイヤレス通信のための方法を例示する。
【図１５】図１５は、本開示のさまざまな態様にしたがった、ワイヤレス通信のための方法を例示する。
【図１６】図１６は、本開示のさまざまな態様にしたがった、ワイヤレス通信のための方法を例示する。
【図１７】図１７は、本開示のさまざまな態様にしたがった、ワイヤレス通信のための方法を例示する。
【図１８】図１８は、本開示のさまざまな態様にしたがった、ワイヤレス通信のための方法を例示する。
【図１９】図１９は、本開示のさまざまな態様にしたがった、ワイヤレス通信のための方法を例示する。
【発明を実施するための形態】
【００４３】
[0054]  特定の通信システムにおいて、遅延を減じるための取組みが進行中である。例えば、ロング・ターム・エボリューション（ＬＴＥ）システムにおいて、無線の遅延を１０倍までに減じるための取組みが進行中である。ＬＴＥシステムにおけるこの程度の遅延低減は、超低遅延（ＵＬＬ）システムと呼ばれ得る。ＵＬＬシステムは、例えば、単一のシンボルの持続時間にまで制限される通信を含み得る。結果として、通信のいくつかのタイプは、ハイブリッド自動再送要求（ＨＡＲＱ）フィードバックのようなフィードバック信号伝達を含めて、非常に短期間で行われるように、強制され得る。従来のＬＴＥシステムでは、ＨＡＲＱフィードバックが最大４ｍｓの遅延で通信され得るのに対し、ＵＬＬシステムでは、ＨＡＲＱフィードバックは３００μｓの遅延にまで制限され得る。このような低遅延を有するＨＡＲＱフィードバックを提供することが困難である結果として、ＨＡＲＱフィードバック動作は修正され得る。
【００４４】
[0055]  ＨＡＲＱフィードバックは、典型的に、受信デバイスから送信デバイスへのさまざまな報告信号の送信を含む。例としての報告信号は、データ送信が成功裏に受信および復号される場合に肯定応答（ＡＣＫ）信号を含み得、データ送信が受信されても復号が成功しない場合に否定応答（ＮＡＫ）信号を含み得る。ＨＡＲＱフィードバックはまた、受信デバイスが不連続送信（ＤＴＸ）状態にあることを指示し得る。ＤＴＸ状態は、受信デバイスがデータ送信を受信していないことを指示し得る。
【００４５】
[0056]  しかしながら、修正されたＨＡＲＱフィードバック動作において、受信デバイスは、ＨＡＲＱフィードバックをオフにすることを決定し得る。他の状況において、受信デバイスは、ＨＡＲＱフィードバック動作を簡略化することを決定し得る。例えば、受信デバイスは、ＨＡＲＱフィードバックからＮＡＫ報告またはＡＣＫ報告を排除することを決定し得る。ＨＡＲＱフィードバック動作をどのように簡略化するかの決定は、受信デバイスによって判断された条件に基づいて受信デバイスによって為され得る。判断された条件は、送信デバイスから受信された信号伝達を含み得るか、チャネルまたはトラフィック条件を含み得る。
【００４６】
[0057]  ＨＡＲＱフィードバック動作の修正は、ＨＡＲＱフィードバックを送信しないこと、または特定のフィードバック信号を送信しないことの決定をもたらし得るので、他の送信は、特定のＨＡＲＱ送信の不在を相殺するために修正され得る。例えば、受信デバイスは、チャネル品質インジケータ（ＣＱＩ）インデックスをＣＱＩインデックスのセットの中から選択および報告し得る。ＣＱＩインデックスのセットのうちの少なくともいくつかは、ＨＡＲＱフィードバック動作が修正されたかどうかに関連付けされ得る異なるターゲット・ブロック・エラー・レート（ＢＬＥＲ）に対応し得る。同様に、送信デバイスは、ＨＡＲＱフィードバック動作が修正されたデータ送信のために異なる変調および符号化スキームを使用し得る。ＭＣＳは、異なるターゲットＢＬＥＲに基づいて選択され得る。
【００４７】
[0058]  以下の説明は、例を提供しており、特許請求の範囲に記載されている範囲、適用可能性、または例を限定してはいない。本開示の範囲から逸脱することなしに、論じられる要素の機能および配置に変更がなされ得る。さまざまな例は、適宜、さまざまな手順またはコンポーネントを省略、代用、あるいは追加し得る。例えば、説明される方法は、説明されるものとは異なる順序で実施され得、さまざまなステップが追加、省略、または組み合わされ得る。また、いくつかの例に関して説明される特徴は、他の例において組み合され得る。
【００４８】
[0059]  図１は、本開示のさまざまな態様にしたがって修正されたＨＡＲＱフィードバック動作をサポートするワイヤレス通信システム１００の例を例示する。ワイヤレス通信システム１００は、基地局１０５、ユーザ機器（ＵＥ）１１５、およびコア・ネットワーク１３０を含む。いくつかの例において、ワイヤレス通信システム１００は、ＬＴＥ／ＬＴＥ−アドバンスド（ＬＴＥ−Ａ）ネットワークであり得る。コア・ネットワーク１３０は、ユーザ認証、アクセス認証、追跡、インターネット・プロトコル（ＩＰ）接続性、および他のアクセス、ルーティング、またはモビリティ機能を提供し得る。基地局１０５は、バックホール・リンク１３２（例えば、Ｓ１など）を通じてコア・ネットワーク１３０とインターフェースし、ＵＥ１１５との通信のためのスケジューリングおよび無線構成を実施し得るか、または基地局コントローラ（図示せず）の制御下で動作し得る。さまざまな例では、基地局１０５は、（例えば、コア・ネットワーク１３０を通じて）間接的に、または直接、バックホール・リンク１３４（例えば、Ｘ１、Ｘ２など）を通して互いと通信し得、それは、有線の、または無線の通信リンクであり得る。
【００４９】
[0060]  基地局１０５は、１つまたは複数の基地局アンテナを介してＵＥ１１５とワイヤレスで通信し得る。基地局１０５のサイトの各々は、通信カバレッジをそれぞれの地理的カバレッジ・エリア１１０に提供し得る。いくつかの例では、基地局１０５は、基地トランシーバ局、無線基地局、アクセス・ポイント、無線トランシーバ、ノードＢ、ｅノードＢ（ｅＮＢ）、ホーム・ノードＢ、ホームｅノードＢ、または何らかの他の適した専門用語で呼ばれ得る。基地局１０５のための地理的カバレッジ・エリア１１０は、カバレッジ・エリアの一部のみを構成するセクタに分割され得る（図示せず）。ワイヤレス通信システム１００は、異なるタイプの基地局１０５（例えば、マクロおよび／またはスモール・セル基地局）を含み得る。異なる技術のために重複している地理的カバレッジ・エリア１１０が存在し得る。
【００５０】
[0061]  いくつかの例において、ワイヤレス通信システム１００は、ＬＴＥ／ＬＴＥ−Ａネットワークである。ＬＴＥ／ＬＴＥ−Ａネットワークでは、ｅＮＢという用語は概して、基地局１０５を説明するために使用され得、一方で、ＵＥという用語は概して、ＵＥ１１５を説明するために使用され得る。ワイヤレス通信システム１００は、異なるタイプのｅＮＢがさまざまな地理的領域にカバレッジを提供する異種ＬＴＥ／ＬＴＥ−Ａネットワークであり得る。例えば、各ｅＮＢまたは基地局１０５は、通信カバレッジをマクロ・セル、スモール・セル、および／または他のタイプのセルに提供し得る。「セル」という用語は、コンテキストに依存して、基地局、基地局に関連付けられたキャリアまたはコンポーネント・キャリア、あるいはキャリアまたは基地局のカバレッジ・エリア（例えば、セクタなど）を説明するために使用されることができる３ＧＰＰ（登録商標）の用語である。
【００５１】
[0062]  マクロ・セルは概して、比較的大きい地理的エリア（例えば、半径数キロメートル）をカバーし、ネットワーク・プロバイダにサービス加入しているＵＥによる無制限のアクセスを可能にし得る。スモール・セルは、マクロ・セルと比較すると、マクロ・セルと同じまたは異なる（例えば、認可された、認可されていないなどの）周波数帯域中で動作し得る低電力基地局である。スモール・セルは、さまざまな例にしたがったピコ・セル、フェムト・セル、およびマイクロ・セルを含み得る。ピコ・セルは、比較的より小さい地理的エリアをカバーし得、ネットワーク・プロバイダにサービス加入しているＵＥよる無制限のアクセスを可能にし得る。フェムト・セルもまた、比較的小さい地理的エリア（例えば、家）をカバーし得、フェムト・セルとの関連付けを有するＵＥ（例えば、クローズド加入者グループ（ＣＳＧ）中のＵＥ、家の中にいるユーザのためのＵＥなど）による制限されたアクセスを提供し得る。マクロ・セルに対するｅＮＢは、マクロｅＮＢと呼ばれ得る。スモール・セルに対するｅＮＢは、スモール・セルｅＮＢ、ピコｅＮＢ、フェムトｅＮＢまたはホームｅＮＢと呼ばれ得る。ｅＮＢは、１つまたは複数（例えば、２つ、３つ、４つなど）のセル（例えば、コンポーネント・キャリア）をサポートし得る。
【００５２】
[0063]  ワイヤレス通信システム１００は、同期または非同期動作をサポートし得る。同期動作の場合、基地局は、同様のフレーム・タイミングを有し得、異なる基地局からの送信は、時間的に大まかにアラインされ得る（approximately aligned in time）。非同期動作の場合、基地局は、異なるフレーム・タイミングを有し得、異なる基地局からの送信は、時間的にアラインされないことがあり得る。本書で説明される技術は、同期または非同期動作のいずれかに対して使用され得る。
【００５３】
[0064]  さまざまな開示される例のうちのいくつかを含み得る（accommodate）通信ネットワークは、レイヤード・プロトコル・スタックにしたがって動作するパケット・ベースのネットワークであり得る。ユーザ・プレーンでは、ベアラまたはパケット・データ・コンバージェンス・プロトコル（ＰＤＣＰ）レイヤにおける通信は、ＩＰベースであり得る。無線リンク制御（ＲＬＣ）レイヤは、論理チャネルを通して通信するために、パケット・セグメンテーションおよびリアセンブリを実施し得る。媒体アクセス制御（ＭＡＣ）レイヤは、優先度処理（priority handling）および論理チャネルのトランスポート・チャネルへの多重化を実施し得る。ＭＡＣレイヤはまた、ＭＡＣレイヤにおいて再送信を提供してリンク効率を改善するために、ハイブリッドＡＲＱ（ＨＡＲＱ）を使用し得る。制御プレーンでは、無線リソース制御（ＲＲＣ）プロトコル・レイヤは、ユーザ・プレーン・データのための無線ベアラをサポートする、ＵＥ１１５と基地局１０５またはコア・ネットワーク１３０との間でのＲＲＣ接続の確立、構成、および維持を提供し得る。物理（ＰＨＹ）レイヤにおいて、トランスポート・チャネルは、物理チャネルにマッピングされ得る。
【００５４】
[0065]  ＵＥ１１５は、ワイヤレス通信システム１００全体にわたって分散されており、各ＵＥ１１５は、固定式または移動式であり得る。ＵＥ１１５はまた、モバイル局、加入者局、モバイル・ユニット、加入者ユニット、ワイヤレス・ユニット、遠隔ユニット、モバイル・デバイス、ワイヤレス・デバイス、ワイヤレス通信デバイス、遠隔デバイス、モバイル加入者局、アクセス端末、モバイル端末、ワイヤレス端末、遠隔端末、ハンドセット、ユーザ・エージェント、モバイル・クライアント、クライアント、または何らかの他の適した専門用語を含み得るか、または当業者によってそれらで呼ばれ得る。ＵＥ１１５は、セルラ電話、携帯情報端末（ＰＤＡ）、ワイヤレス・モデム、ワイヤレス通信デバイス、ハンドヘルド・デバイス、タブレット・コンピュータ、ラップトップ・コンピュータ、コードレス電話、ワイヤレス・ローカル・ループ（ＷＬＬ）局などであり得る。ＵＥは、マクロｅＮＢ、スモール・セルｅＮＢ、中継基地局などを含むさまざまなタイプの基地局およびネットワーク機器と通信することが可能であり得る。
【００５５】
[0066]  ワイヤレス通信システム１００中に示される通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信はまた、順方向リンク送信と呼ばれ、その一方でアップリンク送信はまた、逆方向リンク送信と呼ばれ得る。各通信リンク１２５は、１つまたは複数のキャリアを含み得、ここにおいて、各キャリアは、上述されたさまざまな無線技術にしたがって変調された複数のサブキャリア（例えば、異なる周波数の波形信号）から成る信号であり得る。各変調された信号は、異なるサブキャリア上で送られ得、制御情報（例えば、基準信号、制御チャネルなど）、オーバヘッド情報、ユーザ・データなどを搬送し得る。通信リンク１２５は、（例えば、ペアのスペクト・リソースを使用する）周波数分割複信（ＦＤＤ）、または（例えば、ペアではないスペクトル・リソースを使用する）時分割複信（ＴＤＤ）動作を使用して２方向通信を送信し得る。ＦＤＤについてのフレーム構造（例えば、フレーム構造タイプ１）およびＴＤＤについてのフレーム構造（例えば、フレーム構造タイプ２）が定義され得る。
【００５６】
[0067]  ワイヤレス通信システム１００のいくつかの実施形態では、基地局１０５および／またはＵＥ１１５は、基地局１０５とＵＥ１１５との間での通信品質および信頼性を改善するために、アンテナ・ダイバーシティ・スキームを用いるための複数のアンテナを含み得る。加えてまたは代わって、基地局１０５および／またはＵＥ１１５は、同じまたは異なるコード化されたデータを搬送する複数の空間レイヤを送信するために、マルチパス環境を活用し得る多入力多出力（ＭＩＭＯ）技術を用い得る。
【００５７】
[0068]  ワイヤレス通信システム１００は、複数のセルまたはキャリア上での動作をサポートし得、その特徴はキャリア・アグリゲーション（ＣＡ）またはマルチキャリア動作と呼ばれ得る。キャリアはまた、コンポーネント・キャリア（ＣＣ）、レイヤ、チャネルなどと呼ばれ得る。「キャリア」、「コンポーネント・キャリア」、「セル」、および「チャネル」という用語は、本書では交換可能に使用され得る。ＵＥ１１５は、キャリア・アグリゲーションのための複数のダウンリンクＣＣおよび１つまたは複数のアップリンクＣＣで構成され得る。キャリア・アグリゲーションは、ＦＤＤおよびＴＤＤの両方のコンポーネント・キャリアを用いて使用され得る。
【００５８】
[0069]  ワイヤレス通信システム１００は、いくつかの例では、ＵＬＬシステムであり得る。ＵＬＬシステムにおいて、無線の遅延は、従来のＬＴＥシステムに対して１０倍にまで減じられ得る。ＵＬＬシステムは、例えば、単一のシンボルの持続時間にまで制限される通信を含み得る。かくして、従来のＬＴＥシステムでは、ＨＡＲＱフィードバックが最大４ｍｓの遅延で通信され得るのに対し、ＵＬＬシステムでは、ＨＡＲＱフィードバックは３００μｓの遅延にまで制限され得る。これにも関わらず、ＵＬＬシステムは依然として、従来のＬＴＥシステムに対して仕様およびインプリメンテーションの最小限の影響を含むように設計されており、その結果、後方互換性を可能にしている。例えば、ＬＴＥ数例術（numerology）は、ＵＬＬシステムにおいて再利用され得る。ＵＬＬシステムは、１５ｋＨｚトーンの間隔を使用し得、また、ＬＴＥにおける通常のサイクリック・プレフィクス（ＣＰ）の持続時間、約７１μｓのシンボル持続時間を使用し得る。８３μｓのシンボル持続時間もまた使用され得、それはＬＴＥにおける拡張されたＣＰの持続時間であり得る。さらに、ＵＬＬシステムは、（例えば１ｍｓに等しいサブフレームを有する）ＵＬＬ ＵＥおよびレガシＵＥの統合を維持するように設計され得る。同じサブフレームにおけるＵＬＬ ＵＥおよびレガシＵＥ間の共存は、リソース・ブロック（ＲＢ）レベル多重化（resource block (RB)-level multiplexing）を介して遂行され得る。
【００５９】
[0070]  それにもかかわらず、システムにおける遅延の低減は、何らかの付随する低効率化をもたらし得る。遅延を減じることによって、効率を向上させるために使用される信号伝達は、悪影響を受け得る。例えば、ＵＬＬシステムにおいて、送信時間インターバル（ＴＴＩ）が減じられる。減じられたＴＴＩ長内のＨＡＲＱフィードバックは、特に好ましくないチャネルまたはトラフィック条件にあるＵＥにとって、困難であり得る。例えば、ＨＡＲＱフィードバックのために使用されるビットの数は、特定のＵＥ１１５のために構成されたＣＣの数、および、各ＣＣのために構成されたＤＬ送信モードに基づいて、変わり得る。したがって、ＣＣの数が特定のＵＥ１１５に関して多い場合、そのＵＥ１１５からのＨＡＲＱフィードバックは、より多くのビットを要求し得、それは、減じられた長さのＴＴＩに適合するためには困難であり得る。
【００６０】
[0071]  ＨＡＲＱフィードバックは、典型的に、受信デバイス、例えばＵＥ１１５、から送信デバイス、例えば基地局１０５、へのさまざまな報告信号の送信を含む。例としての報告信号は、ＡＣＫ信号およびＮＡＫ信号を含み得る。ＡＣＫ信号またはＮＡＫ信号のどちらかの送信の失敗は、ＵＥ１１５がＤＴＸ状態にあることを指示し得る。したがって、１つの例において、基地局１０５は、通信リンク１２５を介してＵＥ１１５にデータ送信を送信し得る。それに応答して、ＵＥ１１５は、基地局１０５にＨＡＲＱフィードバックを提供し得る。ＨＡＲＱフィードバックは、受信されたデータ送信に基づき得る。例えば、ＵＥ１１５は、データ送信の受信および復号の成功に応答してＨＡＲＱフィードバックの一部としてＡＣＫ信号を送信し得る。別の例として、ＵＥ１１５は、データ送信の受信および復号の失敗に応答してＨＡＲＱフィードバックの一部としてＮＡＫ信号を送信し得る。ＵＥ１１５がＨＡＲＱフィードバックの一部としてのＮＡＫ信号またはＡＣＫ信号の送信に失敗した場合、ＵＥ１１５は、ＵＥ１１５がＤＴＸモードにあることを基地局１０５に指示し得る。しかしながら、以下により詳細に説明されるように、これらのＨＡＲＱフィードバック動作は、例えば減じられた長さのＴＴＩを相殺するために修正され得る。
【００６１】
[0072]  図２は、本開示のさまざまな態様にしたがって修正されたＨＡＲＱフィードバック動作をサポートするワイヤレス通信システム２００の例を例示する。ワイヤレス通信システム２００は、ＵＥ１１５−ａおよび基地局１０５−ａを含み得、これらは、図１を参照して上述されたＵＥ１１５または基地局１０５の例であり得る。基地局１０５−ａおよびＵＥ１１５−ａは、図１を参照して概説されたように、ＵＥ１１５−ａが、カバレッジ・エリア１１０−ａ内にあるときダウンリンク２０５を介して互いに通信し得る。ＵＥ１１５−ａは、図１を参照して上に概説されたように、アップリンク２１０を介して基地局１０５−ａにＡＣＫ／ＮＡＫ／ＤＴＸ状態を指示し得る。
【００６２】
[0073]  例えば、ＵＥ１１５−ａは、ダウンリンク２０５を介して基地局１０５−ａから送信ブロックのセットの形式でデータ送信を受信し得る。いくつかの場合では、送信ブロックは、低遅延データを含み得る（例えば、それらは減じられた長さのＴＴＩを使用して送信され得る）。いくつかの例では、ＵＥ１１５−ａは、受信されたデータ送信に応答してＨＡＲＱフィードバックを提供し得る。ＨＡＲＱフィードバックは、アップリンク２１０を介して基地局１０５−ａに通信され得る。例えば、いくつかの場合では、ＵＥ１１５−ａは、送信ブロックを復号することに失敗し得、基地局１０５−ａにアップリンク２１０を介してＮＡＫを送信し得る。他の場合では、ＵＥ１１５−ａは、送信ブロックを復号することに成功し得、基地局１０５−ａにアップリンク２１０を介してＡＣＫを送信し得る。しかしながら、ＵＥ１１５−ａは低遅延データとしてデータ送信を受信し、ＵＬＬシステムの一部であり得るので、ＵＥ１１５−ａは、同様に減じられた長さのＴＴＩを使用してそれのＨＡＲＱフィードバックを提供するように強制され得る。そのようにするために、ＵＥ１１５−ａは、それのＨＡＲＱフィードバック動作を修正し得る。１つの例では、ＵＥ１１５−ａは、ＨＡＲＱフィードバックをオフにすることを選択し得る。別の例では、ＵＥ１１５−ａは、それのＨＡＲＱフィードバックからＡＣＫまたはＮＡＫ報告を排除すことを選択し得る。ＵＥによるこれらの決定は、チャネルまたはトラフィック条件、あるいは基地局１０５−ａからダウンリンク２０５を介して受信された信号のように、ＵＥ１１５−ａによって判断された条件に基づき得る。それと同時に、基地局１０５−ａは、ＵＥ１１５−ａがそれのＨＡＲＱフィードバック動作を修正することを決定し得る。基地局１０５−ａは、基地局１０５−ａがＵＥ１１５−ａにＨＡＲＱフィードバック動作修正インジケータを送信したので、ＵＥ１１５−ａがそれのＨＡＲＱフィードバック動作を修正することを決定し得る。基地局１０５−ａはまた、ＵＥ１１５−ａがチャネルおよびトラフィック条件の判断によってそれのＨＡＲＱフィードバック動作を修正することを決定し得る。ＵＥ１１５−ａはまた、ＨＡＲＱフィードバック修正が生じていることを、基地局１０５−ａに指示し得る。
【００６３】
[0074]  ＵＥ１１５−ａは、ＨＡＲＱビットの数が減じられた長さのＴＴＩで確実に送信するには多すぎることに起因して、ＨＡＲＱフィードバック動作修正を行い得る。さらに、ＵＥ１１５−ａが電力制限されている場合、ＨＡＲＱフィードバックはＵＥ１１５−ａが電力制限されている場合にあまり有用でないので、ＵＥ１１５−ａは、ＤＬ動作に応答してＨＡＲＱフィードバック動作を修正または一時停止し（suspend）得る。電力制限されたデバイスは、それの通信を制限し得、かくしてＨＡＲＱフィードバックによって提供されるフィードバックは、将来の通信の対して有用でないか、完全に省略され得る。さらに、いくつかの場合では、ＨＡＲＱフィードバックは、トラフィックの要求（traffic needs）のために必要でない可能性があり得る。例えば、基地局１０５−ａがＵＥ１１５−ａに送信するためのほんの少数のビット（例えば４０ビット）を有し、非常に低い遅延が目標とされる場合、基地局１０５−ａは、ＨＡＲＱフィードバックなしで、可能な限り少数のデータ送信ブロック内でデータ送信を完了するように、動機付けされ得る。
【００６４】
[0075]  ＵＥ１１５−ａはまた、ＨＡＲＱフィードバック動作修正の結果として、基地局１０５−ａへのＣＱＩ送信において修正されたＣＱＩインデックスを使用することを選択し得る。慣習的に、ＣＱＩインデックスは、一般的に同じターゲットＢＬＥＲに基づく。しかしながら、ＵＥ１１５−ａがＨＡＲＱフィードバックまたはＨＡＲＱフィードバックの態様が基地局１０５−ａに送信されないようにそれのＨＡＲＱフィードバック動作を修正する場合、ＵＥ１１５−ａは、基地局１０５−ａに送信され得るＣＱＩインデックスのうちの少なくともいくつかに関わる異なるターゲットＢＬＥＲを使用することを選択し得る。例えば、いくつかのＣＱＩインデックス（例えば、ＣＱＩインデックス１−５）に関して、ＵＥ１１５−ａは１０％の初期のＢＬＥＲ（10% initial BLER）を想定し得、一方で他のＣＧＩインデックス（例えば、ＣＱＩインデックス６−１５）に関して、ＵＥ１１５−ａは、１％の初期のＢＬＥＲ（1% initial BLER）を想定し得る。ＵＥ１１５−ａは、ＨＡＲＱフィードバック動作が一時停止されるかそうでなければ修正される時間の間、より低い初期のＢＬＥＲを有するＣＱＩインデックスを報告する傾向が一層あり得る。ＣＱＯ報告は、アップリンク２１０を介してＵＥ１１５−ａから基地局１０５−ａに送信され得る。
【００６５】
[0076]  同様に、基地局１０５−ａは、ＨＡＲＱフィードバック動作を修正しているＵＥ１１５−ａへのデータ送信にＭＣＳを適用させるときに、異なるＭＣＳインデックスを使用し得る。上述されたＣＱＩインデックスのように、ＭＣＳインデックスは、異なるＨＡＲＱ終端ターゲット（termination target）（例えばＢＬＥＲ）に基づき得る。基地局１０５−ａは、ダウンリンク２０５を介して通信されるデータ送信にＭＣＳを適用し得る。
【００６６】
[0077]  図３は、本開示のさまざまな態様にしたがって、修正されたＨＡＲＱフィードバックが提供され得るチャネル構造３００の例を例示する。チャネル構造３００は、図１および２を参照して上述されたように、ＵＥ１１５および基地局１０５間の超低遅延送信の態様を例示し得る。チャネル構造３００は、各々、ＵＬＬ ＴＴＩ３０５から構成されているＤＬチャネル構造およびＵＬチャネル構造を例示している。ＤＬチャネル構造におけるＵＬＬ ＴＴＩ３０５は、超低遅延物理ダウンリンク制御チャネル（ｕＰＤＣＣＨ）または超低遅延物理ダウンリンク共有チャネル（ｕＰＤＳＣＨ）を含み得る。ＵＬチャネル構造におけるＵＬＬ ＴＴＩ３０５は、超低遅延物理アップリンク制御チャネル（ｕＰＵＣＣＨ）または超低遅延物理アップリンク共有チャネル（ｕＰＵＳＣＨ）を含み得る。
【００６７】
[0078]  チャネル構造３００において、各ＵＬＬ ＴＴＩ３０５は、持続時間において１個のシンボル、または通常のＣＰに対して約７１μｓあるいは拡張されたＣＰに対して８３μｓであり得る。いくつかの例において、サブフレームは、約１ｍｓの長さであり得る。かくして、単一のサブフレームは、最大で、通常のＣＰを有する１４個のシンボル、または拡張されたＣＰを有する１２個のシンボルを含み得る。最大８個のＨＡＲＱプロセスが（ＦＤＤを使用して）生じ得る。例示された例において、基地局１０５は、シンボル３１０において、ダウンリンク３２０−ａを介してＵＥ１１５にデータ送信ブロックを送信する。ＵＥ１１５は、シンボル３１５においてデータ送信ブロックを受信し得、そしてそれに応答してＨＡＲＱフィードバックを送信し得る。ＨＡＲＱフィードバックは、アップリンク３２５−ａを介して送信される。基地局１０５は、シンボル３１０−ａにおいてＨＡＲＱフィードバックを受信し、ダウンリンク３２０−ｂを介してＵＥ１１５に追加のデータ送信ブロックを送信し得る。ＵＥ１１５は、シンボル３１５−ａにおいて追加のデータ送信ブロックを受信し、アップリンク３２５−ｂを介して追加のＨＡＲＱフィードバックで応答し得、それは、シンボル３１０−ｂにおいて基地局１０５によって受信され得る。アップリンク３２５−ａ、３２５−ｂにおいて送信されるＨＡＲＱフィードバックは、修正され得る。いくつかの例において、ＨＡＲＱフィードバックは、まったく送信されない。
【００６８】
[0079]  図４は、本開示のさまざまな態様にしたがって、ＨＡＲＱフィードバック動作を修正するためのプロセス・フロー４００の例を例示する。プロセス・フロー４００は、ＵＥ１１５−ｂおよび基地局１０５−ｂによって実施され得、それらは、図１および２を参照して上述されたＵＥ１１５または基地局１０５の例であり得る。いくつかの例において、プロセス・フロー４００は、ＵＥ１１５−ｂがＨＡＲＱフィードバックを送信しないことを選択するオプションを例示する。
【００６９】
[0080]  ステップ４１０において、基地局１０５−ｂは、特定のＵＥ１１５−ｂに関わるＨＡＲＱフィードバック動作がオフにされ得ることを決定し得る。ＵＥ１１５−ｂは、それ自身でこの決定をし得る一方で、いくつかの状況では、基地局１０５−ｂがこの決定をし、そしてＵＥ１１５−ｂにＨＡＲＱフィードバック動作修正インジケータを送信し得る。基地局１０５−ｂは、ＵＬチャネル条件の推定に基づいて、または予め設定された状態に基づいてこの決定をし得る。ＵＬチャネル条件は、例えば、サウンディング基準信号（ＳＲＳ：sounding reference signal）送信を使用することによって推定され得る。
【００７０】
[0081]  ステップ４１５において、基地局１０５−ｂは、ＨＡＲＱフィードバック動作修正インジケータをＵＥ１１５−ｂに送信し得、それは、ＵＥ１１５−ｂがインジケータにしたがってそれのＨＡＲＱフィードバック動作を修正するべきことを、ＵＥ１１５−ｂに指示し得る。ＵＥ１１５−ｂは、それのＨＡＲＱフィードバック動作を修正するかどうかを自動的に決定するように構成され得る一方で、少なくともいくつかの状況において、ＵＥ１１５−ｂは、基地局１０５−ｂから受信されたインジケータにしたがって作動し得る。
【００７１】
[0082]  ＨＡＲＱフィードバック動作修正インジケータは、多数の形式であり得る。１つの例では、ＨＡＲＱフィードバックは、準静的な（semi-static）ＵＥ固有の構成を使用して有効（enabled）または無効（disabled）にされ得る。基地局１０５−ｂは、ＵＥ１１５−ｂがアップデートされた構成を得るべきことをＵＥ１１５−ｂに指示し得、それは、プロセス・フロー４００の例では、ＨＡＲＱフィードバックを無効にする。しかしながら、チャネルおよびトラフィック条件は動的に変わり得るので、基地局１０５−ｂは、より動的な解法（solution）を使用してＨＡＲＱのオン／オフ動作を選択的に制御し得る。例えば、基地局１０５−ｂは、制御チャネルにおいて（例えば、ＰＤＣＣＨ、ｕＰＤＣＣＨにおいて、または、強化ＰＤＣＣＨ（ＥＰＤＣＣＨ）において）１ビットのインジケータを含み得る。１ビットのインジケータは、対応してスケジュールされた共有チャネル（例えばｕＰＤＳＣＨ）に関してＨＡＲＱフィードバックが予期されるかどうかを指示し得る。基地局１０５−ｂはまた、ＨＡＲＱフィードバックが暗黙的な信号伝達によってオフにされるべきかどうかを指示し得る。例えば、ＵＥ１１５−ｂは、ＵＥ１１５−ｂによって受信されるｕＰＤＳＣＨのためにスケジュールされた特定のＭＣＳに基づいてＨＡＲＱフィードバックをオフにするように構成され得る。例えば、ＭＣＳインデックスが高い場合、ＨＡＲＱフィードバックはオンにされ得、ＭＣＳインデックスが低い場合、ＨＡＲＱフィードバックはオフにされ得る。ＨＡＲＱフィードバックがオンにされるべきかオフにされるべきかを決定するために使用されるＭＣＳしきい値は、あらかじめ決定され得るか、ＲＲＣ設定であり得る。ＭＣＳしきい値は、基地局１０５−ｂによって選択され得る。ＭＣＳしきい値は、ＢＬＥＲが通信に対して十分に低いことを確実にするために選択され得、ここにおいてＨＡＲＱフィードバックがオフにされる。
【００７２】
[0083]  ステップ４２０において、基地局１０５−ｂは、ＵＥ１１５−ｂに（例えばＰＤＳＣＨの形式で）データを送信する。ステップ４２５において、ＵＥ１１５−ｂは、ＨＡＲＱフィードバックがオフにされるべきかどうかを決定するための条件を判断する。判断された条件は、ステップ４１５に関連して上述されたように、基地局１０５−ｂから受信されたインジケータを含み得る。しかしながら、ＵＥ１１５−ｂはまた、チャネルまたはトラフィック条件に基づいてＨＡＲＱフィードバックをオフにすることを決定し得る。
【００７３】
[0084]  ＵＥ１１５−ｂがＨＡＲＱフィードバックを自動的にオフにする場合、基地局１０５−ｂは、ＵＥ１１５−ｂに関わるＨＡＲＱフィードバックがオフにされたことを決定し得る。かくして、ステップ４３０において、基地局１０５−ｂは、あらかじめ設定された状態に基づいて、またはＵＬチャネル条件の推定に基づいて、この決定をし得る。ＵＬチャネル条件は、例えば、ＳＲＳ送信を使用することによって推定され得る。代わって、ＵＥ１１５−ｂは、ＨＡＲＱフィードバックがオフにされるべきこと、またはＨＡＲＱフィードバックが確実に提供されることができないことの指示を、基地局１０５−ｂに送信し得る。この指示は、周期的に送信されるか非周期的にトリガされ得、（例えばｕＰＵＣＣＨまたはＰＵＣＣＨを介する）ＰＨＹレイヤ・ペイロードの一部、または（例えばｕＰＵＳＣＨまたはＰＵＳＣＨを介する）ＭＡＣレイヤ・ペイロードの一部であり得る。
【００７４】
[0085]  ＨＡＲＱフィードバックをオフにすることの別の代替案は、代わって、ＵＥ１１５によって実施されるＨＡＲＱフィードバック動作を修正することである。図５は、この代替案を例示する。
【００７５】
[0086]  図５は、本開示のさまざまな態様にしたがって、ＨＡＲＱフィードバック動作を修正するためのプロセス・フロー５００の例を例示する。プロセス・フロー５００は、ＵＥ１１５−ｃおよび基地局１０５−ｃによって実施され得、それらは、図１および２を参照して上述されたＵＥ１１５または基地局１０５の例であり得る。いくつかの例において、プロセス・フロー５００は、ＵＥ１１５−ｃが修正されたＨＡＲＱフィードバック動作を使用してＨＡＲＱフィードバックを送信することを選択するオプションを例示する。
【００７６】
[0087]  ステップ５１０において、基地局１０５−ｃは、特定のＵＥ１１５−ｃに関わるＨＡＲＱフィードバック動作が修正され得ることを決定し得る。ＵＥ１１５−ｃは、それ自身でこの決定をし得る一方で、いくつかの状況では、基地局１０５−ｃがこの決定をし、そしてＵＥ１１５−ｃにＨＡＲＱフィードバック動作修正インジケータを送信し得る。基地局１０５−ｃは、ＵＬチャネル条件の推定に基づいて、または予め設定された状態に基づいてこの決定をし得る。ＵＬチャネル条件は、例えば、ＳＲＳ送信を使用することによって推定され得る。
【００７７】
[0088]  ステップ５１５において、基地局１０５−ｃは、ＨＡＲＱフィードバック動作修正インジケータをＵＥ１１５−ｃに送信し得、それは、ＵＥ１１５−ｃがインジケータにしたがってそれのＨＡＲＱフィードバック動作を修正するべきことを、ＵＥ１１５−ｃに指示し得る。ＵＥ１１５−ｃは、それのＨＡＲＱフィードバック動作を修正するかどうかを自動的に決定するように構成され得る一方で、少なくともいくつかの状況において、ＵＥ１１５−ｃは、基地局１０５−ｃから受信されたインジケータにしたがって作動し得る。ＨＡＲＱフィードバック動作修正インジケータの１つの例において、ＨＡＲＱフィードバックは、動的なＵＥ固有のインジケータを使用して修正され得る。例えば、基地局１０５−ｃは、制御チャネルにおいて（例えば、ＰＤＣＣＨ、ｕＰＤＣＣＨ、またはＥＰＤＣＣＨにおいて）インジケータを含み得る。インジケータは、対応してスケジュールされた共有チャネル（例えばｕＰＤＳＣＨ）に関してＨＡＲＱフィードバック動作が修正されるべきであることを指示し得る。
【００７８】
[0089]  ステップ５２０において、基地局１０５−ｃは、ＵＥ１１５−ｃに（例えばＰＤＳＣＨの形式で）データを送信する。ステップ５２５において、ＵＥ１１５−ｃは、ＨＡＲＱフィードバックが修正されるべきかどうかを決定するための条件を判断する。判断された条件は、ステップ５１５に関連して上述されたように、基地局１０５−ｃから受信されたインジケータを含み得る。しかしながら、ＵＥ１１５−ｃはまた、チャネルまたはトラフィック条件に基づいてＨＡＲＱフィードバックを修正することを決定し得る。
【００７９】
[0090]  ＵＥ１１５−ｃは、異なる代替案にしたがってそれのＨＡＲＱフィードバック動作を修正し得る。１つの代替案では、ＵＥ１１５−ｃは、３つの状態のＨＡＲＱフィードバックの代わりに２つの状態のＨＡＲＱフィードバックを提供し得る。別の代替案では、ＵＥ１１５−ｃは、通常３つの状態のＨＡＲＱフィードバックを提供し得るが、時として、典型的なＨＡＲＱフィードバック状態のうちの１つに関わるＨＡＲＱフィードバックを省略することを選択し得る。かくして、典型的な３つの状態のＨＡＲＱフィードバックがＡＣＫ、ＮＡＫ、およびＤＴＸ報告を含み得るのに対し、これらの代替案では、これらの３つの状態のうち２つのみが報告され得る。
【００８０】
[0091]  １つの代替案では、ＡＣＫ報告が排除され、ＮＡＫおよびＤＴＸ報告のみがＨＡＲＱフィードバックに含まれる。かくして、ＵＥ１１５−ｃがステップ５２０において含まれるＤＬ送信の復号に成功する場合、または、ＵＥ１１５−ｃがＤＬデータを受信しない場合、ＵＥ１１５−ｃは、基地局１０５−ｃにＨＡＲＱフィードバックを送信しない。ＵＥ１１５−ｃがＤＬデータを受信してもデータの復号に失敗する場合、ＵＥ１１５−ｃは、ＮＡＫ報告の形式でＨＡＲＱフィードバックを送信する。
【００８１】
[0092]  別の代替案では、ＮＡＫ報告が排除され、ＡＣＫおよびＤＴＸ報告のみがＨＡＲＱフィードバックに含まれる。かくして、ＵＥ１１５−ｃがステップ５２０においてＤＬデータを受信したがデータをまだ復号していない場合、ＵＥ１１５−ｃは、ＤＴＸ報告を使用することになる。ＵＥ１１５−ｃがデータを復号すると、ＵＥ１１５−ｃは、それのＨＡＲＱフィードバックにＡＣＫを含み得る。基地局１０５−ｃがＡＣＫを受信すると、基地局１０５−ｃは、任意の再送信を送ることを停止し得る。
【００８２】
[0093]  ＡＣＫ報告が排除されるという上述の代替案は、ＵＥ１１５−ｃがセルの中心に近い場合、すなわち、基地局１０５−ｃからＵＥ１１５−ｃへ送られるデータ送信の大多数がＵＥ１１５−ｃに到達して成功裏に復号される場合、に優先的に使用され得る。代わって、ＵＥ１１５−ｃがセル端に近い場合、ＵＥ１１５−ｃは、それのＨＡＲＱフィードバックからＮＡＫ報告を排除することを選択し得る。これらの決定は、ＵＥ１１５−ｃにおいて受信された基準信号の受信された電力を判断することによって為され得る。受信された電力が所定のしきい値を下回る場合、ＮＡＫ報告が排除される。受信された電力が所定のしきい値を上回る場合、ＡＣＫ報告が排除される。
【００８３】
[0094]  上述の２つの代替案のどちらにおいても、２つの状態のＨＡＲＱフィードバックは、既存のＰＵＣＣＨフォーマット（例えば、二相位相変調（ＢＰＳＫ）または四相位相変調（ＱＰＳＫ））を使用して提供され得る。ただ２つの状態が関与するので、ＯＮ／ＯＦＦキーイングもまたＨＡＲＱフィードバックのために使用され得る。
【００８４】
[0095]  別の代替案は、ＵＥ１１５−ｃに関して、一般的に３つの状態のＨＡＲＱフィードバックを使用するが、特定の状況の間にこれら状態のうちの１つを部分的に省略することである。例えば、ＵＥ１１５−ｃは、３つの状態のＨＡＲＱフィードバックを提供し得、通常ＡＣＫ報告を提供することを含む。しかしながら、ＵＥ１１５−ｃは、特定の場合においてＡＣＫ送信を省略することを選択し得る。これらの場合は、ＵＥ１１５−ｃの電力制限に基づいて、または基地局１０５−ｃによって指示されるパラメータあるいはインジケータに基づいて、ＵＥ１１５−ｃによって決定され得る。かくして、時として、ＵＥ１１５−ｃは、基地局１０５−ｃにＡＣＫ信号を送信することを省略し得る。結果として、基地局１０５−ｃは、（ＵＥ１１５−ｃがＤＬ送信を成功裏に受信および復号する場合）ＡＣＫ状態にあるＵＥ１１５−ｃと、（ＵＥ１１５−ｃがＤＬグラントを受信しない場合にＵＥ１１５−ｃがエントリする）ＤＴＸ状態にあるＵＥ１１５−ｃとを区別することができない可能性がある。しかしながら、ＤＬデータが一般的に高い信頼性で送信される場合、基地局１０５−ｃは一般的に、ＡＣＫ状態にあるＵＥ１１５−ｃまたはＤＴＸ状態にあるＵＥ１１５−ｃを区別することができ、システム動作へのいかなるの悪影響も小さくなり得る。
【００８５】
[0096]  ＨＡＲＱフィードバックを修正するための１つの他の代替案は、ＨＡＲＱフィードバックのためにＵＬ制御チャネルを使用することであり、ここにおいてＵＬ制御チャネルはＤＬ送信のために使用されるＴＴＩより長いＴＴＩを含む。この場合において、ＤＬ送信は、減じられた長さのＴＴＩを使用し得、一方でＵＬ送信は、その減じられた長さのＴＴＩほどには短くないＴＴＩを使用し得る。
【００８６】
[0097]  ＵＥ１１５−ｃがそれのＨＡＲＱフィードバック動作を修正すると、ＵＥ１１５−ｃは、（ステップ５３０において）基地局１０５−ｃにＨＡＲＱフィードバックを送信し得る。ＨＡＲＱフィードバック送信は、修正されたＨＡＲＱフィードバック動作に従い得る。かくして、いくつかの例では、ＨＡＲＱフィードバックは、報告されない可能性がある。
【００８７】
[0098]  ＵＥ１１５−ｃがＨＡＲＱフィードバックを自動的に修正する場合、基地局１０５−ｃは、ＵＥ１１５−ｃに関わるＨＡＲＱフィードバックが修正されたことを決定し得る。かくして、ステップ５３５において、基地局１０５−ｃは、あらかじめ設定された状態に基づいて、またはＵＬチャネル条件の推定に基づいてこの決定をし得る。ＵＬチャネル条件は、例えば、ＳＲＳ送信を使用することによって推定され得る。
【００８８】
[0099]  図６は、本開示のさまざまな態様にしたがって、ＨＡＲＱフィードバック動作を修正するためのプロセス・フロー６００の例を例示する。プロセス・フロー６００は、ＵＥ１１５−ｄおよび基地局１０５−ｄによって実施され得、それらは、図１および２を参照して上述されたようにＵＥ１１５または基地局１０５の例であり得る。いくつかの例において、プロセス・フロー６００は、ＵＥ１１５−ｄが修正されたＨＡＲＱフィードバック動作を使用してＨＡＲＱフィードバックを送信することと、修正されたＨＡＲＱフィードバック動作に基づいてＣＱＩをさらに送信することとを選択するオプションを例示する。
【００８９】
[0100]  ステップ６１０において、基地局１０５−ｄは、特定のＵＥ１１５−ｄに関わるＨＡＲＱフィードバック動作が修正され得ることを決定し得る。ＵＥ１１５−ｄは、それ自身でこの決定をし得る一方で、いくつかの状況では、基地局１０５−ｄがこの決定をし、そしてＵＥ１１５−ｄにＨＡＲＱフィードバック動作修正インジケータを送信し得る。基地局１０５−ｄは、ＵＬチャネル条件の推定に基づいて、または予め設定された状態に基づいてこの決定をし得る。ＵＬチャネル条件は、例えば、ＳＲＳ送信を使用することによって推定され得る。
【００９０】
[0101]  ステップ６１５において、基地局１０５−ｄは、ＨＡＲＱフィードバック動作修正インジケータをＵＥ１１５−ｄに送信し得、それは、ＵＥ１１５−ｄがインジケータにしたがってそれのＨＡＲＱフィードバック動作を修正するべきことを、ＵＥ１１５−ｄに指示し得る。ＵＥ１１５−ｄは、それのＨＡＲＱフィードバック動作を修正するかどうかを自動的に決定するように構成され得る一方で、少なくともいくつかの状況において、ＵＥ１１５−ｄは、基地局１０５−ｄから受信されたインジケータにしたがって作動し得る。ＨＡＲＱフィードバック動作修正インジケータの１つの例において、ＨＡＲＱフィードバックは、動的なＵＥ固有のインジケータを使用して修正され得る。例えば、基地局１０５−ｄは、制御チャネルにおいて（例えば、ＰＤＣＣＨ、ｕＰＤＣＣＨ、またはＥＰＤＣＣＨにおいて）インジケータを含み得る。インジケータは、対応してスケジュールされた共有チャネル（例えばｕＰＤＳＣＨ）に関してＨＡＲＱフィードバック動作が修正され得ることを指示し得る。
【００９１】
[0102]  ステップ６２０において、基地局１０５−ｄは、ＵＥ１１５−ｄに（例えばＰＤＳＣＨの形式で）データを送信する。ステップ６２５において、ＵＥ１１５−ｄは、ＨＡＲＱフィードバックが修正されるべきかどうかを決定するための条件を判断する。判断された条件は、ステップ６１５に関連して上述されたように、基地局１０５−ｄから受信されたインジケータを含み得る。しかしながら、ＵＥ１１５−ｄはまた、チャネルまたはトラフィック条件に基づいてＨＡＲＱフィードバックを修正することを決定し得る。ＵＥ１１５−ｄは、図４および５に関連して上述されたように、３つの状態ＡＣＫ／ＮＡＫ／ＤＴＸフィードバックから２つの状態のＨＡＲＱフィードバックに、ＨＡＲＱフィードバックを簡略化することによって、または、ＨＡＲＱフィードバックをオフにすることによって、ＨＡＲＱフィードバック動作を修正することを選択し得る。
【００９２】
[0103]  ＵＥ１１５−ｄがそれのＨＡＲＱフィードバック動作を修正すると、ＵＥ１１５−ｄは、（ステップ６３０において）基地局１０５−ｄにＨＡＲＱフィードバックを送信し得る。ＨＡＲＱフィードバック送信は、修正されたＨＡＲＱフィードバック動作に従い得る。かくして、いくつかの例では、ＨＡＲＱフィードバックは、報告されない可能性がある。
【００９３】
[0104]  ＵＥ１１５−ｄはまた、（ステップ６３５において）基地局１０５−ｄにＣＱＩを送信し得る。それのＣＱＩ報告において、ＵＥ１１５−ｄは、基地局１０５−ｄへのＣＱＩ送信において修正されたＣＱＩインデックスを使用することを選択し得る。ＣＱＩインデックスは、ＵＥ１１５−ｄによって為されるＨＡＲＱフィードバック動作修正に対応するように修正され得る。慣習的に、ＣＱＩインデックスは、一般的に同じターゲットＢＬＥＲに基づく。しかしながら、ＵＥ１１５−ｄがＨＡＲＱフィードバックまたはＨＡＲＱフィードバックの態様が基地局１０５−ｄに送信されないようにそれのＨＡＲＱフィードバック動作を修正する場合、ＵＥ１１５−ｄは、基地局１０５−ｄに送信され得るＣＱＩインデックスのうちの少なくともいくつかに関わる異なるターゲットＢＬＥＲを使用することを選択し得る。例えば、いくつかのＣＱＩインデックス（例えばＣＱＩインデックス１−５）に関して、ＵＥ１１５−ｄは１０％の初期のＢＬＥＲ（10% initial BLER）を想定し得、一方で他のＣＧＩインデックス（例えばＣＱＩインデックス６−１５）に関して、ＵＥ１１５−ｄは、１％の初期のＢＬＥＲ（1% initial BLER）を想定し得る。ＵＥ１１５−ｄは、ＨＡＲＱフィードバック動作が一時停止されるかそうでなければ修正される時間の間、より低い初期のＢＬＥＲを有するＣＱＩインデックスを報告する傾向が一層あり得る。
【００９４】
[0105]  ＵＥ１１５−ｄがＨＡＲＱフィードバックを自動的に修正する場合、基地局１０５−ｄは、ＵＥ１１５−ｄに関わるＨＡＲＱフィードバックが修正されたことを決定し得る。かくして、ステップ６４０において、基地局１０５−ｄは、あらかじめ設定された状態に基づいて、またはＵＬチャネル条件の推定に基づいてこの決定をし得る。ＵＬチャネル条件は、例えば、ＳＲＳ送信を使用することによって推定され得る。
【００９５】
[0106]  ＵＥ１１５−ｄがそれのＨＡＲＱフィードバック動作を修正したことを決定することによって、基地局１０５−ｄはまた、（ステップ６３５を介して）受信されるＣＱＩインデックスが異なるＢＬＥＲに基づき得ることを決定し得る。したがって、基地局１０５−ｄは、対応するＢＬＥＲに同様に基づくＭＣＳインデックスを適用することを選択し得る。かくして、ステップ６４５において、基地局１０５−ｄは、異なるＨＡＲＱ終端ターゲットに基づくＭＣＳを使用してＵＥ１１５−ｄにデータを送信し得る。
【００９６】
[0107]  図７は、本開示のさまざまな態様にしたがって、ワイヤレス通信で使用するためのデバイス７０５のブロック図７００を示す。デバイス７０５は、図１乃至６を参照して説明されたＵＥ１１５のうちの１つまたは複数の態様の例であり得る。デバイス７０５は、ＵＥ受信機モジュール７１０、ＵＥ ＨＡＲＱフィードバック動作モジュール７１５、および／またはＵＥ送信機モジュール７２０を含み得る。デバイス７０５はまた、プロセッサ（図示せず）を含み得る。これらのモジュールの各々は、互いに通信状態にあり得る。
【００９７】
[0108]  デバイス７０５のコンポーネントは、個々にまたは集合的に、ハードウェア中で適用可能な機能のうちのいくつかまたは全てを実施するように適合された１つまたは複数の特定用途向け集積回路（ＡＳＩＣ）を使用してインプリメントされ得る。代替として、機能は、１つまたは複数の集積回路上で、１つまたは複数の他の処理ユニット（あるいはコア）によって実施され得る。他の例では、他のタイプの集積回路（例えば、ストラクチャード／プラットフォームＡＳＩＣ、フィールド・プログラマブル・ゲート・アレイ（ＦＰＧＡ）、および他のセミカスタムＩＣ）が使用され得、それらは、当該技術において知られている任意の方式でプログラムされ得る。各モジュールの機能はまた、全体的にあるいは部分的に、メモリ内に統合される命令群で実現され、１つまたは複数の汎用または特定用途向けのプロセッサによって実行されるようにフォーマットされ得る。
【００９８】
[0109]  ＵＥ受信機モジュール７１０は、さまざまな情報チャネル（例えば、制御チャネル、データ・チャネルなど）に関連付けされた、パケット、ユーザ・データ、および／または制御情報のような情報を受信し得る。ＵＥ受信機モジュール７１０は、デバイス７０５がそれのＨＡＲＱフィードバック動作を修正すべきことの指示を基地局から受信するように構成され得る。ＵＥ受信機モジュール７１０はまた、修正されたＨＡＲＱフィードバックが報告され得るデータ送信を受信するように構成され得る。情報は、ＵＥ ＨＡＲＱフィードバック動作モジュール７１５に、およびデバイス７０５の他のコンポーネントに伝えられ得る。
【００９９】
[0110]  ＵＥ ＨＡＲＱフィードバック動作モジュール７１５は、受信されたデータ送信に応答してＨＡＲＱフィードバックをどのように提供するかを決定するための条件を判断し、判断された条件に基づいてＨＡＲＱフィードバック動作を修正するために、使用され得る。例えば、デバイス７０５は、デバイス７０５によるＨＡＲＱフィードバック動作が修正されるべきことの指示を基地局から受信し得る。代わって、ＵＥ ＨＡＲＱフィードバック動作モジュール７１５は、ＨＡＲＱフィードバック動作が修正されるべきことを、チャネルまたはトラフィック条件に基づいて、自動的に決定し得る。修正が為されるべきである場合、ＵＥ ＨＡＲＱフィードバック動作モジュール７１５は、ＨＡＲＱフィードバックをオフにすることによって、３つの状態のフィードバックから２つの状態のフィードバックにＨＡＲＱフィードバックを減じることによって、報告状態を時として省略することによって、または、ＨＡＲＱフィードバックに十分に長いＴＴＩを使用することによって、それのＨＡＲＱフィードバック動作を修正し得る。
【０１００】
[0111]  ＵＥ送信機モジュール７２０は、デバイス７０５の他のコンポーネントから受信された１つまたは複数の信号を送信し得る。ＵＥ送信機モジュール７２０は、ＵＥ ＨＡＲＱフィードバック動作モジュール７１５によって修正される場合、ＨＡＲＱフィードバックを送信し得る。ＵＥ送信機モジュール７２０はまた、ＣＱＩを送信し得、それは、異なるＢＬＥＲに基づくＣＱＩの中から選択されたＣＱＩインデックスを含み得る。いくつかの例では、ＵＥ送信機モジュール７２０は、トランシーバ・モジュールにおいてＵＥ受信機モジュール７１０と共に配置され得る。
【０１０１】
[0112]  図８は、さまざまな例にしたがって、ワイヤレス通信で使用するためのデバイス７０５−ａのブロック図８００を示す。デバイス７０５−ａは、図１乃至６を参照して説明されたＵＥ１１５のうちの１つまたは複数の態様の例であり得る。それはまた、図７を参照して説明されているデバイス７０５の例であり得る。デバイス７０５−ａは、ＵＥ受信機モジュール７１０−ａ、ＵＥ ＨＡＲＱフィードバック動作モジュール７１５−ａ、および／またはＵＥ送信機モジュール７２０−ａを含み得、それらは、デバイス７０５の対応するモジュールの例であり得る。デバイス７０５−ａはまた、プロセッサ（図示せず）を含み得る。これらのコンポーネントの各々は、互いに通信状態にあり得る。ＵＥ ＨＡＲＱフィードバック動作モジュール７１５−ａは、ＨＡＲＱフィードバック動作修正決定モジュール８０５、ＨＡＲＱフィードバック・ターン・オフ・モジュール８１０、ＨＡＲＱフィードバック動作修正モジュール８１５、および／またはＨＡＲＱフィードバック送信モジュール８２０を含み得る。ＵＥ受信機モジュール７１０−ａおよびＵＥ送信機モジュール７２０−ａは、図７のＵＥ受信機モジュール７１０およびＵＥ送信機モジュール７２０それぞれの機能を実施し得る。
【０１０２】
[0113]  ＨＡＲＱフィードバック動作修正決定モジュール８０５は、ＨＡＲＱフィードバック動作が修正されるべきかどうかを決定するためにデバイス７０５−ａによって使用され得る。ＨＡＲＱフィードバック動作修正決定モジュール８０５は、条件を判断することによってこの決定をし得る。判断された条件は、基地局から受信されたインジケータの形式であり得る。例えば、基地局は、ＨＡＲＱフィードバック動作修正インジケータをデバイス７０５−ａに送信し得、それは、デバイス７０５−ａがインジケータにしたがってそれのＨＡＲＱフィードバック動作を修正するべきことを、デバイス７０５−ａに指示し得る。ＨＡＲＱフィードバック動作修正インジケータは、多数の形式であり得る。１つの例では、ＨＡＲＱフィードバックは、準静的なＵＥ固有の構成を使用して有効（enabled）または無効（disabled）にされ得る。基地局は、デバイス７０５−ａがＨＡＲＱフィードバックを無効にし得るアップデートされた構成を取得するべきことを、デバイス７０５−ａに指示し得る。ＨＡＲＱフィードバック動作修正決定モジュール８０５は、代わって、ＨＡＲＱフィードバックが予期されるかまたはオフにされ得るか、あるいは、ＨＡＲＱフィードバックが修正されるべきかどうか、を指示するインジケータを、制御チャネルにおいて（例えば、ＰＤＣＣＨ、ｕＰＤＣＣＨ、またはＥＰＤＣＣＨにおいて）受信し得る。ＨＡＲＱフィードバック動作修正決定モジュール８０５はまた、ＨＡＲＱフィードバック動作が修正されるべきであることを指示し得る、基地局から受信された暗黙的な信号伝達を判断し得る。例えば、基地局によってスケジュールされた特定のＭＣＳの使用は、ＨＡＲＱフィードバック動作が修正されるべきであることをデバイス７０５−ａに指示し得る。
【０１０３】
[0114]  代わって、ＨＡＲＱフィードバック動作修正決定モジュール８０５は、チャネルまたはトラフィック条件を判断し、ＨＡＲＱフィードバック動作が修正されるべきであることを自動的に決定し得る。ＨＡＲＱフィードバック動作修正決定モジュール８０５は、それの決定をするときにデバイス７０５−ａの電力制限を判断し得、また、ＨＡＲＱフィードバック動作修正のための基礎として使用され得るチャネルおよびトラフィック条件を決定するときに基準信号の受信された電力を考慮し得る。
【０１０４】
[0115]  ＨＡＲＱフィードバック・ターン・オフ・モジュール８１０は、ＨＡＲＱフィードバックをオフにするために使用され得る。ＨＡＲＱフィードバック・ターン・オフ・モジュール８１０は、ＨＡＲＱフィードバック動作が修正されるべきかどうかを、もしそうであれば、その修正がＨＡＲＱフィードバックをオフにすることを含むかどうかを、決定するためにＨＡＲＱフィードバック動作修正決定モジュール８０５と通信し得る。ＨＡＲＱフィードバック動作修正決定モジュール８０５にしたがって、ＨＡＲＱフィードバック・ターン・オフ・モジュール８１０は、例えば、準静的デバイス固有の構成を適用することによって、または、基地局からの明示的な信号伝達または暗黙的な信号伝達のどちらかに基づいて動的ＨＡＲＱ ＯＮ／ＯＦＦ動作を使用することによって、ＨＡＲＱフィードバック動作を無効にし得る。さらに、ＨＡＲＱフィードバック・ターン・オフ・モジュール８１０は、ＨＡＲＱフィードバック動作修正決定モジュール８０５の自動の決定に基づいてＨＡＲＱフィードバック動作を無効することを選択し得る。
【０１０５】
[0116]  ＨＡＲＱフィードバック動作修正モジュール８１５は、ＨＡＲＱフィードバック動作を修正するために使用され得る。例えば、ＨＡＲＱフィードバック動作修正モジュール８１５は、３段階から２段階の報告動作にＨＡＲＱフィードバック動作を変更するために使用され得る。１つの例では、ＡＣＫ報告が、排除され得る。別の例では、ＮＡＫ報告が、排除され得る。いくつかの例において、デバイス７０５−ａは１つの段階の報告を時として省略することを選択し得るが、３段階のＨＡＲＱ報告が典型的に使用され得る。ＨＡＲＱフィードバック動作修正モジュール８１５は、ＨＡＲＱフィードバック動作が修正されるべきかどうかを決定するために、ＨＡＲＱフィードバック動作修正決定モジュール８０５と通信し得る。
【０１０６】
[0117]  ＨＡＲＱフィードバック送信モジュール８２０は、修正されたＨＡＲＱフィードバックを送信するために使用され得る。ＨＡＲＱフィードバック送信モジュール８２０は、例えば、それの機能をＵＥ送信機モジュール７２０−ａと協調させ得る。ＨＡＲＱフィードバックが報告されない場合のいくつかの例では、フィードバック送信モジュール８２０が使用されないこともある。
【０１０７】
[0118]  図９は、さまざまな例にしたがって、ワイヤレス通信で使用するためのシステ９００を示す。システム９００は、ＵＥ１１５−ｅを含み得、それは、図１乃至６のＵＥ１１５の例であり得る。ＵＥ１１５−ｅはまた、図７および８のデバイス７０５の１つまたは複数の態様の例であり得る。
【０１０８】
[0119]  ＵＥ１１５−ｅは概して、通信を送信するためのコンポーネントおよび通信を受信するためのコンポーネントを含む、双方向音声およびデータ通信のためのコンポーネントを含み得る。ＵＥ１１５−ｅは、（１つまたは複数の）ＵＥアンテナ９４０、ＵＥトランシーバ・モジュール９３５、ＵＥプロセッサ・モジュール９０５、および（ソフトウェア（ＳＷ）９２０を含む）ＵＥメモリ９１５を含み得、これらは各々、（例えば、１つまたは複数のバス９４５を介して）間接的にまたは直接、互いに通信し得る。ＵＥトランシーバ・モジュール９３５は、上述のように、（１つまたは複数の）ＵＥアンテナ９４０、および／または１つまたは複数の有線または無線のリンクを介して、１つまたは複数のネットワークと、双方向に通信するように構成され得る。例えば、ＵＥトランシーバ・モジュール９３５は、図１乃至６を参照して基地局１０５と双方向に通信するように構成され得る。ＵＥトランシーバ・モジュール９３５は、パケットを変調してその変調されたパケットを送信のための（１つまたは複数の）ＵＥアンテナ９４０に提供すること、および（１つまたは複数の）ＵＥアンテナ９４０から受信されたパケットを復調すること、を行うように構成されたモデムを含み得る。ＵＥ１１５−ｅは、単一のＵＥアンテナ９４０を含み得るのに対し、ＵＥ１１５−ｅは、複数のワイヤレス送信を同時に送信および／または受信することができる複数のＵＥアンテナ９４０を有し得る。ＵＥトランシーバ・モジュール９３５は、複数のコンポーネント・キャリアを介して１つまたは複数の基地局１０５と同時に通信することが可能であり得る。
【０１０９】
[0120]  ＵＥ１１５−ｅは、ＵＥ ＨＡＲＱフィードバック動作モジュール７１５−ｂを含み得、それは、図７および８のデバイス７０５のＵＥ ＨＡＲＱフィードバック動作モジュール７１５に関して上述された機能を実施し得る。ＵＥ１１５−ｅはまた、ＣＱＩ送信モジュール９２５を含み得る。ＣＱＩ送信モジュール９２５は、ＣＱＩインデックスの形式でＣＱＩを送信するためにＵＥ１１５−ｅによって使用され得る。ＣＱＩインデックスは、利用可能なＣＱＩインデックスのセット、または複数の利用可能なＣＱＩの中から選択され得る。ＣＱＩインデックスは、異なるＢＬＥＲターゲットに基づき得る。ＣＱＩ送信モジュール９２５は、ＨＡＲＱフィードバック動作が修正されたかどうかに基づいて、もしそうであれば、ＨＡＲＱフィードバック動作修正に適切であるＢＬＥＲターゲットに関連づけされたＣＱＩインデックスに基づいて、基地局に送るためのＣＱＩインデックスを選択し得る。
【０１１０】
[0121]  ＵＥメモリ９１５は、ランダム・アクセス・メモリ（ＲＡＭ）および読取専用メモリ（ＲＯＭ）を含み得る。ＵＥメモリ９１５は、実行された場合、プロセッサ・モジュール９０５に、本書に記載されたさまざまな機能を実施（例えば、ＨＡＲＱフィードバック動作を修正など）させるように構成された命令を含む、コンピュータ可読な、コンピュータ実行可能なソフトウェア／ファームウェア・コード９２０を記憶し得る。代わって、コンピュータ可読な、コンピュータ実行可能なソフトウェア／ファームウェア・コード９２０は、ＵＥプロセッサ・モジュール９０５によって直接実行可能ではないが、（例えば、コンパイルされ、実行されるときに）、コンピュータに、本書で説明されている機能を実施させるように構成され得る。ＵＥプロセッサ・モジュール９０５は、インテリジェント・ハードウェア・デバイス（例えば、中央処理ユニット（ＣＰＵ）、マイクロコントローラ、ＡＳＩＣなど）を含み得る。
【０１１１】
[0122]  図１０は、本開示のさまざまな態様にしたがって、ワイヤレス通信で使用するための装置１００５のブロック図１０００を示す。いくつかの例では、装置１００５は、図１乃至６を参照して説明される基地局１０５の１つまたは複数の態様の例であり得る。いくつかの例では、装置１００５は、ＬＴＥ／ＬＴＥ−Ａ ｅＮＢおよび／またはＬＴＥ／ＬＴＥ−Ａ基地局を含むか、それらの一部であり得る。装置１００５はまた、プロセッサであり得る。装置１００５は、基地局受信機モジュール１０１０、基地局ＨＡＲＱフィードバック動作モジュール１０１５、および／または基地局送信機モジュール１０２０を含み得る。これらのモジュールの各々は、互いに通信状態にあり得る。
【０１１２】
[0123]  装置１００５のコンポーネントは、個々にまたは集合的に、ハードウェア中で適用可能な機能のうちのいくつかまたは全てを実施するように適合された１つまたは複数のＡＳＩＣを使用してインプリメントされ得る。代わって、機能は、１つまたは複数の集積回路上で、１つまたは複数の他の処理ユニット（あるいはコア）によって実施され得る。他の例では、他のタイプの集積回路（例えば、ストラクチャード／プラットフォームＡＳＩＣ、ＦＰＧＡ、および他のセミカスタムＩＣ）が使用され得、それらは、当該技術において知られている任意の方式でプログラムされ得る。各コンポーネントの機能はまた、全体的にまたは部分的に、メモリ内に統合される命令でインプリメントされ、１つまたは複数の汎用または特定用途向けのプロセッサによって実行されるようにフォーマットされ得る。
【０１１３】
[0124]  いくつかの例では、基地局受信機モジュール１０１０は、少なくとも１つの無線周波数（ＲＦ）受信機、例えば、ＵＥのようなデバイスから修正されたＨＡＲＱフィードバックを受信するように動作可能なＲＦ受信機、を含み得る。基地局受信機モジュール１０１０はまた、ＨＡＲＱフィードバック動作修正と関連付けされたＢＬＥＲターゲットに基づき得るＣＱＩ報告を受信するように動作可能であり得る。基地局受信機モジュール１０１０は、図１を参照して説明されたワイヤレス通信システム１００の１つまたは複数の通信リンクのような、ワイヤレス通信システムの１つまたは複数の通信リンクを通じてさまざまなタイプのデータおよび／または制御信号（すなわち、送信）を受信するために使用され得る。
【０１１４】
[0125]  いくつかの例では、基地局送信機モジュール１０２０は、少なくとも１つのＲＦ送信機、例えば、ＨＡＲＱフィードバック動作がオフにされた、またはそうでなければ修正されたことのインジケータを（ＵＥのような）受信デバイスに送信するように動作可能である少なくとも１つのＲＦ送信機、を含み得る。基地局送信機モジュール１０２０はまた、ＨＡＲＱフィードバック動作が修正されるべきであることを受信デバイスに指示し得るＭＣＳを使用してエンコードされ得るデータを送信するように動作可能であり得る。選択されたＭＣＳインデックスは、ＨＡＲＱフィードバック動作が修正されるべきかどうかに対応して変化するＢＬＥＲターゲットに基づいて使用され得る。基地局送信機モジュール１０２０は、図１を参照して説明されたワイヤレス通信システム１００の１つまたは複数の通信リンクのようなワイヤレス通信システムの１つまたは複数の通信リンクを通じてさまざまなタイプのデータおよび／または制御信号（すなわち、送信）を送信するために使用され得る。
【０１１５】
[0126]  いくつかの例では、基地局ＨＡＲＱフィードバック動作モジュール１０１５は、受信デバイスにおけるＨＡＲＱフィードバック動作が修正されるべきかどうかを決定するように動作可能であり得る。基地局ＨＡＲＱフィードバック動作モジュール１０１５は、チャネルまたはトラフィック条件を判断することによって、または、受信デバイスから情報を受信することによって、この決定をし得る。装置１００５は、受信デバイスによるＨＡＲＱフィードバック動作が修正されるべきであることの指示を、受信デバイス、例えばＵＥに送信し得る。基地局ＨＡＲＱフィードバック動作モジュール１０１５はまた、修正されたＨＡＲＱフィードバックの受信と、受信されたＨＡＲＱフィードバックがいつ修正されたかの検出または決定を、協調させ得る。
【０１１６】
[0127]  図１１は、本開示のさまざまな態様にしたがって、ワイヤレス通信で使用するための装置１００５−ａのブロック図１１００を示す。いくつかの例では、装置１００５−ａは、図１乃至６を参照して説明される基地局１０５の１つまたは複数の態様の例、および／または、図１０を参照して説明された装置１００５の態様の例であり得る。いくつかの例では、装置１００５−ａは、ＬＴＥ／ＬＴＥ−Ａ ｅＮＢおよび／またはＬＴＥ／ＬＴＥ−Ａ基地局を含むか、それらの一部であり得る。装置１００５−ａはまた、プロセッサであり得る。装置１００５−ａは、基地局受信機モジュール１０１０−ａ、基地局ＨＡＲＱフィードバック動作モジュール１０１５−ａ、および／または基地局送信機モジュール１０２０−ａを含み得る。これらモジュールの各々は、互いに通信状態にあり得る。
【０１１７】
[0128]  装置１００５−ａのコンポーネントは、個々にまたは集合的に、ハードウェア中で適用可能な機能のうちのいくつかまたは全てを実施するように適合された１つまたは複数のＡＳＩＣを使用してインプリメントされ得る。代わって、機能は、１つまたは複数の集積回路上で、１つまたは複数の他の処理ユニット（あるいはコア）によって実施され得る。他の例では、他のタイプの集積回路（例えば、ストラクチャード／プラットフォームＡＳＩＣ、ＦＰＧＡ、および他のセミカスタムＩＣ）が使用され得、それらは、当該技術において知られている任意の方式でプログラムされ得る。各コンポーネントの機能はまた、全体的にあるいは部分的に、メモリ内に統合される命令でインプリメントされ、１つまたは複数の汎用または特定用途向けのプロセッサによって実行されるようにフォーマットされ得る。
【０１１８】
[0129]  いくつかの例において、基地局受信機モジュール１０１０−ａは、図１０を参照して説明された基地局受信機モジュール１０１０の１つまたは複数の態様の例であり得る。いくつかの例では、基地局受信機モジュール１０１０−ａは、少なくとも１つのＲＦ受信機、例えば、修正されたＨＡＲＱフィードバックを受信するように動作可能な少なくとも１つのＲＦ受信機、を含み得る。基地局受信機モジュール１０１０−ａは、図１を参照して説明されたワイヤレス通信システム１００の１つまたは複数の通信リンクのようなワイヤレス通信システムの１つまたは複数の通信リンクを通じてさまざまなタイプのデータおよび／または制御信号（すなわち、送信）を受信するために使用され得る。
【０１１９】
[0130]  いくつかの例において、基地局送信機モジュール１０２０−ａは、図１０を参照して説明された基地局送信機モジュール１０２０の１つまたは複数の態様の例であり得る。いくつかの例では、基地局送信機モジュール１０２０−ａは、少なくとも１つのＲＦ送信機、例えば、ＨＡＲＱフィードバック動作が修正されるべきことの指示を受信デバイスに送信するように動作可能である少なくとも１つのＲＦ送信機、を含み得る。基地局送信機モジュール１０２０−ａは、図１を参照して説明されたワイヤレス通信システム１００の１つまたは複数の通信リンクのようなワイヤレス通信システムの１つまたは複数の通信リンクを通じてさまざまなタイプのデータおよび／または制御信号（すなわち、送信）を送信するために使用され得る。
【０１２０】
[0131]  基地局ＨＡＲＱフィードバック動作モジュール１０１５−ａは、ＨＡＲＱフィードバック動作修正決定モジュール１１０５、ＨＡＲＱフィードバック動作修正送信モジュール１１１０、ＨＡＲＱフィードバック受信モジュール１１１５、および／またはＨＡＲＱフィードバック動作修正決定モジュール１１２０を含み得る。
【０１２１】
[0132]  ＨＡＲＱフィードバック動作修正決定モジュール１１０５は、ＵＥのような受信デバイスがそれのＨＡＲＱフィードバック動作を修正するべきかどうかを決定するために装置１００５−ａによって使用され得る。ＨＡＲＱフィードバック動作修正決定モジュール１１０５は、この決定するためにチャネルまたはトラフィック条件を判断し得る。代わって、ＨＡＲＱフィードバック動作修正決定モジュール１１０５は、この決定をするために受信デバイスから受信された情報を判断し得る。
【０１２２】
[0133]  ＨＡＲＱフィードバック動作修正送信モジュール１１１０は、ＨＡＲＱフィードバック動作が修正されるべきであることの指示を受信デバイスに送信し得る。ＨＡＲＱフィードバック動作修正送信ジュール１１１０は、例えば、ＨＡＲＱフィードバック無効化（disabling）を含む準静的デバイス固有の構成を、送信するために使用され得る。ＨＡＲＱフィードバック動作修正送信モジュール１１１０はまた、ＨＡＲＱフィードバック動作が修正されるべきであることの明示的なまたは暗黙的な信号伝達を送信するために使用され得る。明示的な信号伝達は、制御チャネルにおけるインジケータを含み得、一方で、暗黙的な信号伝達は、ＨＡＲＱフィードバック動作が修正され得ることを受信デバイスに信号伝達することができるデータ送信における特定のＭＣＳの使用を含み得る。ＨＡＲＱフィードバック動作修正送信モジュール１１１０は、ＨＡＲＱフィードバックがオフにされるべきことを指示し得る。ＨＡＲＱフィードバック動作修正送信モジュール１１１０はまた、ＡＣＫまたはＮＡＫ報告が排除されるようにＨＡＲＱフィードバック動作が修正されるべきことを指示し得る。
【０１２３】
[0134]  ＨＡＲＱフィードバック受信モジュール１１１５は、例えば、ＵＥによって送られる修正されたＨＡＲＱフィードバックを受信するために装置１００５−ａによって使用され得る。修正されたＨＡＲＱフィードバックは、いくつかの場合では、ＡＣＫ報告およびＮＡＫ報告のどちらも含まない可能性がある。
【０１２４】
[0135]  ＨＡＲＱフィードバック動作修正検出モジュール１１２０は、例えば、ＵＥから受信されたＨＡＲＱフィードバックが、修正されたＨＡＲＱフィードバック動作を通じて修正されたかどうかを検出するために装置１００５−ａによって使用され得る。ＵＥがそれのＨＡＲＱフィードバック動作を修正することを自動的に選択する場合において、装置１００５−ａは、ＨＡＲＱフィードバック動作修正検出モジュール１１２０を使用することによってこれを検出し得る。ＨＡＲＱフィードバック動作修正検出モジュール１１２０は、ＨＡＲＱフィードバック動作が修正されたことの、ＵＥによって送られる明示的な指示を検出し得る。代わって、ＨＡＲＱフィードバック動作検出モジュール１１２０は、例えば、ＳＲＳ送信を使用することによってチャネルおよびトラフィック条件を推定することを通じて修正を検出し得る。
【０１２５】
[0136]  図１２は、本開示のさまざまな態様にしたがって、ワイヤレス通信で使用するための基地局１０５−ａ（例えば、ｅＮＢの一部または全てを形成する基地局）のブロック図１２００を示す。いくつかの例では、基地局１０５−ｅは、図１乃至６を参照して説明された基地局１０５の１つまたは複数の態様の一例であり得、および／または、図１０および／または１１を参照して説明されたように、基地局として構成された場合は、装置１００５の１つまたは複数の態様の一例であり得る。基地局１０５−ｅは、図１乃至６、１０および１１を参照して説明された基地局および／または装置の特徴および機能の少なくともいくつかを、インプリメントするまたは容易にするように構成され得る。
【０１２６】
[0137]  基地局１０５−ｅは、基地局プロセッサ・モジュール１２１０、基地局メモリ・モジュール１２２０、（（１つまたは複数の）基地局トランシーバ・モジュール１２５０によって表される）少なくとも１つまたは複数の基地局トランシーバ・モジュール、（（１つまたは複数の）基地局アンテナ１２５５によって表される）少なくとも１つまたは複数の基地局アンテナ、および／または基地局ＨＡＲＱフィードバック動作モジュール１０１５−ｂを含み得る。基地局１０５−ｅはまた、基地局通信モジュール１２３０および／またはネットワーク通信モジュール１２４０のうちの１つまたは複数を含み得る。これらのモジュールの各々は、１つまたは複数のバス１２３５にわたって、間接的にまたは直接、互いに通信状態にあり得る。
【０１２７】
[0138]  基地局メモリ・モジュール１２２０は、ＲＡＭおよび／またはＲＯＭを含み得る。基地局メモリ・モジュール１２２０は、実行されたとき、基地局プロセッサ・モジュール１２１０に、ワイヤレス通信に関連して本書で説明されるさまざまな機能（例えば、ＨＡＲＱフィードバック動作が修正されるべきであることの指示を送信すること）を実施させるように構成された命令を含むコンピュータ可読、コンピュータ実行可能ソフトウェア／ファームウェア・コード１２２５を記憶し得る。代わって、コンピュータ可読、コンピュータ実行可能ソフトウェア／ファームウェア・コード１２２５は、基地局プロセッサ・モジュール１２１０によって直接実行可能でない場合があるが、（例えば、コンパイルおよび実行されたとき）基地局１２０５に、本書で説明される機能のいくつかを実施させるように構成され得る。
【０１２８】
[0139]  基地局プロセッサ・モジュール１２１０は、インテリジェント・ハードウェア・デバイス（例えば、ＣＰＵ、マイクロコントローラ、ＡＳＩＣなど）を含み得る。基地局プロセッサ・モジュール１２１０は、（１つまたは複数の）基地局トランシーバ・モジュール１２５０、基地局通信モジュール１２３０、および／またはネットワーク通信モジュール１２４０を通じて受信された情報を処理し得る。基地局プロセッサ・モジュール１２１０はまた、（１つまたは複数の）アンテナ１２５５を通じた送信のために（１つまたは複数の）トランシーバ・モジュール１２５０に、１つまたは複数の他の基地局１０５−ｆおよび１０５−ｇへの送信のために基地局通信モジュール１２３０に、および／またはコア・ネットワーク１２４５への送信のためにネットワーク通信モジュール１２４０に、送られるべき情報を処理し得、コア・ネットワーク１２４５は、図１に関連して説明されたコア・ネットワーク１３０の１つまたは複数の態様の例であり得る。基地局プロセッサ・モジュール１２１０は、ＵＥのような受信デバイスにおいてＨＡＲＱフィードバック動作の修正を管理することのさまざまな態様を、基地局ＨＡＲＱフィードバック動作モジュール１０１５−ｂに関連して、または単独で、対処し得る。
【０１２９】
[0140]  （１つまたは複数の）基地局トランシーバ・モジュール１２５０は、パケットを変調し、送信のために（１つまたは複数の）基地局アンテナ１２５５に変調されたパケットを提供し、（１つまたは複数の）基地局アンテナ１２５５から受信されたパケットを復調するように構成されたモデムを含み得る。（１つまたは複数の）基地局トランシーバ・モジュール１２５０は、いくつかの例において、１つまたは複数の基地局送信機モジュールおよび１つまたは複数の別個の基地局受信機モジュールとしてインプリメントされ得る。（１つまたは複数の）基地局トランシーバ・モジュール１２５０は、第１の無線周波数スペクトル帯域および／または第２の無線周波数スペクトル帯域中での通信をサポートし得る。（１つまたは複数の）基地局トランシーバ・モジュール１２５０は、図１乃至６および９を参照して説明されるＵＥ１１５のうちの１つまたは複数のような、１つまたは複数のＵＥまたは装置と、（１つまたは複数の）アンテナ１２５５を介して、双方向で通信するように構成され得る。基地局１０５−ｅは、例えば、多数の基地局アンテナ１２５５（例えば、アンテナ・アレイ）を含み得る。基地局１０５−ｅは、ネットワーク通信モジュール１２４０を通じてコア・ネットワーク１２４５と通信し得る。基地局１０５−ｅはまた、基地局通信モジュール１２３０を使用して、基地局１０５−ｆおよび１０５−ｇのような、他の基地局と通信し得る。
【０１３０】
[0141]  基地局ＨＡＲＱフィードバック動作モジュール１０１５−ｂは、ＨＡＲＱフィードバック動作を修正することに関連して図１乃至６、１０、および１１を参照して説明された特徴および／または機能のいくつかまたはすべてを実施および／または制御するように構成され得る。いくつかの例では、基地局ＨＡＲＱフィードバック動作モジュール１０１５−ｂは、ＵＥが、３つの状態のフィードバックから２つの状態のフィードバックに簡略化することによって、またはＨＡＲＱフィードバックをオフにすることによって、それのＨＡＲＱフィードバック動作を修正すべきことを、ＵＥに指示するために使用され得る。基地局ＨＡＲＱフィードバック動作モジュール１０１５−ｂ、または基地局ＨＡＲＱフィードバック動作モジュール１０１５−ｂの一部は、プロセッサを含み、および／または、基地局ＨＡＲＱフィードバック動作モジュール１０１５−ｂの機能のうちのいくつかまたは全ては、基地局プロセッサ・モジュール１２１０によっておよび／または基地局プロセッサ・モジュール１２１０と関連して実施され得る。いくつかの例において、基地局ＨＡＲＱフィードバック動作モジュール１０１５−ｂは、図１０および／または１１を参照して説明された基地局ＨＡＲＱフィードバック動作モジュール１０１５および／または１０１５−ａの例であり得る。
【０１３１】
[0142]  基地局１０５−ｅはまた、ＭＣＳアプリケーション・モジュール１２１５を含み得る。ＭＣＳアプリケーション・モジュール１２１５は、基地局１０５−ｅによって使用され得、ＵＥのような受信デバイスへのデータ送信において使用するために複数のＭＣＳインデックスから１つのＭＣＳインデックスを決定し得る。複数のＭＣＳインデックスのうちの少なくともいくつかは、異なるターゲットＢＬＥＲと関連付けされ得る。ＭＣＳアプリケーション・モジュール１２１５は、選択されたＭＣＳインデックスを使用して受信デバイスへのデータ送信の送信を協調するために使用され得る。ＭＣＳアプリケーション・モジュール１２１５はさらに、修正されたＨＡＲＱフィードバック動作を使用して受信デバイスがＨＡＲＱフィードバックを報告しているかどうか、または受信デバイスがＨＡＲＱフィードバックを報告しているかどうか、に部分的に基づいて、ＭＣＳインデックスのいくつかと異なるＢＬＥＲを関連付けするために使用され得る。
【０１３２】
[0143]  図１３は、基地局１０５−ｈおよびＵＥ１１５−ｆを含む多入力／多出力（ＭＩＭＯ）通信システム１３００の図である。ＭＩＭＯ通信システム１３００は、図１に示されているワイヤレス通信システム１００の態様を例示し得る。基地局１０５−ｈは、アンテナ１３３４−ａ乃至１３３４−ｘを装備され得、ＵＥ１１５−ｆは、アンテナ１３５２−ａ乃至１３５２−ｎを装備され得る。ＭＩＭＯ通信システム１３００において、基地局１０５−ｈは、同時に複数の通信リンク上でデータを送ることが可能であり得る。各通信リンクは、「レイヤ」と呼ばれ得、通信リンクの「ランク」は、通信のために使用されるレイヤの数を指示し得る。例えば、基地局１０５−ｈが２つの「レイヤ」を送信する２×２ＭＩＭＯ通信システムにおいて、基地局１０５−ｈとＵＥ１１５−ｆとの間の通信リンクのランクは、２である。
【０１３３】
[0144]  基地局１０５−ｈにおいて、送信プロセッサ１３２０は、データ・ソースからデータを受信し得る。送信プロセッサ１３２０は、データを処理し得る。送信プロセッサ１３２０はまた、制御シンボルおよび／または基準シンボルを生成し得る。送信（ＴＸ）ＭＩＭＯプロセッサ１３３０は、適用可能である場合、データ・シンボル、制御シンボル、および／または基準シンボルに空間処理（例えば、プリコーディング）を実施し得、変調器／復調器１３３２−a乃至１３３２−xに出力シンボル・ストリームを提供し得る。各変調器／復調器１３３２は、出力サンプル・ストリームを取得するために、（例えば、ＯＦＤＭなどのための）それぞれの出力シンボル・ストリームを処理し得る。各変調器／復調器１３３２は、ＤＬ信号を取得するために、出力サンプル・ストリームをさらに処理（例えば、アナログへ変換、増幅、フィルタ、およびアップコンバート）し得る。一例において、変調器／復調器１３３２−ａ乃至１３３２−ｘからのＤＬ信号は、それぞれ、アンテナ１３３４−ａ乃至１３３４−ｘを介して送信され得る。
【０１３４】
[0145]  ＵＥ１１５−ｆにおいて、ＵＥアンテナ１３５２−ａ乃至１３５２−ｎは、基地局１０５−ｈからＤＬ信号を受信し得、変調器／復調器１３５４−ａ乃至１３５４−ｎに、それぞれ、受信された信号を提供し得る。各変調器／復調器１３５４は、入力サンプルを取得するために、それぞれの受信された信号を調整（例えば、フィルタ、増幅、ダウンコンバートおよびデジタル化）し得る。各ＵＥ変調器／復調器１３５４はさらに、受信されたシンボルを取得するために、（例えば、ＯＦＤＭなどに関する）入力サンプルを処理し得る。ＭＩＭＯ検出器１３５６は、すべての変調器／復調器１３５４−ａ乃至１３５４−ｎから受信されたシンボルを取得し得、適用可能である場合、受信されたシンボルに対してＭＩＭＯ検出を実施し得、検出されたシンボルを提供し得る。受信プロセッサ１３５８は、検出されたシンボルを処理（例えば、復調、デインタリーブ、復号）し、データ出力にＵＥ１１５−ｆのための復号されたデータを提供し、プロセッサ１３８０またはメモリ１３８２に復号された制御情報を提供し得る。
【０１３５】
[0146]  プロセッサ１３８０は、いくつかの場合では、ＵＥ ＨＡＲＱフィードバック動作モジュール７１５−ｃのうちの１つまたは複数を例示するための記憶された命令を実行し得る。ＵＥ ＨＡＲＱフィードバック動作モジュール７１５−ｃは、図７、８および／または９を参照して説明されたＵＥ ＨＡＲＱフィードバック動作モジュール７１５の態様の一例であり得る。
【０１３６】
[0147]  アップリンク上で、ＵＥ１１５−ｆ、送信プロセッサ１３６４は、データ・ソースからデータを受信し、処理し得る。送信プロセッサ１３６４はまた、基準信号のための基準シンボルを生成し得る。送信プロセッサ１３６４からのシンボルは、適用可能である場合、送信ＭＩＭＯプロセッサ１３６６によってプリコーディングされ得、（例えば、ＳＣ−ＦＤＭＡなどに関わる）変調器／復調器１３５４−ａ乃至１３５４−ｎによってさらに処理され得、基地局１０５−ｈから受信された送信パラメータにしたがって基地局１０５−ｈに送信され得る。基地局１０５−ｈにおいて、ＵＥ１１５−ｆからのＵＬ信号は、アンテナ１３３４によって受信され、変調器／復調器１３３２によって処理され、適用可能である場合にＭＩＭＯ検出器１３３６によって検出され、受信プロセッサ１３３８によってさらに処理され得る。受信プロセッサ１３３８は、復号されたデータを、データ出力に、およびプロセッサ１３４９および／またはメモリ１３４２に、提供し得る。プロセッサ１３４０は、いくつかの場合では、基地局ＨＡＲＱフィードバック動作モジュール１０１５−ｃのうちの１つまたは複数を例示するための記憶された命令を実行し得る。基地局ＨＡＲＱフィードバック動作モジュール１０１５−ｃは、図１０、１１および／または１２を参照して説明された基地局ＨＡＲＱフィードバック動作モジュール１０１５の態様の一例であり得る。
【０１３７】
[0148]  ＵＥ １１５−ｆのコンポーネントは、ハードウェアで適用可能な機能のいくつかまたは全てを実施するために適合された１つまたは複数のＡＳＩＣを用いて、個別にまたは集合的に、インプリメントされ得る。記載されるモジュールの各々は、ＭＩＭＯ通信システム１３００の動作に関する１つまたは複数の機能を実施するための手段であり得る。同様に、基地局１０５−ｈのコンポーネントは、ハードウェアで適用可能な機能のいくつかまたは全てを実施するために適合された１つまたは複数のＡＳＩＣを用いて、個別にまたは集合的に、インプリメントされ得る。記載されるコンポーネントの各々は、ＭＩＭＯ通信システム１３００の動作に関する１つまたは複数の機能を実施するための手段であり得る。
【０１３８】
[0149]  図１４は、本開示のさまざまな態様にしたがって、ワイヤレス通信のための方法1１４００の例を例示するフローチャートである。明確にするために、方法１４００は、図１乃至６および９および１３を参照して説明されたＵＥ１１５の１つまたは複数の態様、および／または図７および８を参照して説明されたデバイス７０５の１つまたは複数の態様を参照して以下に説明される。さらに、方法１４００は、１つまたは複数の基地局１０５の態様を参照して、例えば、これらの基地局がＨＡＲＱフィードバックをＵＥに送信する場合に、使用され得る。いくつかの例では、ＵＥまたは基地局は、ＵＥまたは基地局の機能的要素を制御して以下に説明される機能を実施するためにコードの１つまたは複数のセットを実行し得る。さらに、または代わって、ＵＥまたは基地局は、専用ハードウェアを使用して以下に説明される機能の１つまたは複数の機能を実施し得る。
【０１３９】
[0150]  ブロック１４０５において、方法１４００は、データ送信を受信することを含み得る。データ送信は、例えば、基地局または何らかの他の送信デバイスからのものであり得る。ブロック１４０５における動作は、図７または８を参照して説明されたＵＥ受信機モジュール７１０を使用して実施され得る。
【０１４０】
[0151]  ブロック１４１０において、方法１４００は、データ送信に応答してＨＡＲＱフィードバックとして含むための情報を決定するための条件を判断することを含み得る。判断されるべき条件は、送信デバイスから送られ得、ＨＡＲＱフィードバック動作が修正されるべきことの指示を含み得る。代わって、判断されるべき条件は、チャネルまたはトラフィック条件を含み得る。ブロック１４１０における動作は、図８を参照して説明されたＨＡＲＱフィードバック動作修正決定モジュール８０５を使用して実施され得る。
【０１４１】
[0152]  ブロック１４１５において、方法１４００は、その条件に少なくとも部分的に基づいてＨＡＲＱフィードバック動作を修正することを含み得る。ＨＡＲＱフィードバック動作修正は、ＨＡＲＱフィードバックを完全にオフにすることを含み得る。ＨＡＲＱフィードバック動作修正はまた、３つの状態のフィードバックから２つの状態のフィードバックにＨＡＲＱフィードバックを簡略化することを含み得る。ＨＡＲＱフィードバックに関わるＴＴＩ長はまた、ＨＡＲＱフィードバックの確実性を向上させるように修正（例えば拡張）され得る。ブロック１４１５における動作は、図８を参照して説明されたＨＡＲＱフィードバック動作モジュール８１５またはＨＡＲＱフィードバックターン・オフ・モジュール８１０を使用して実施され得る。
【０１４２】
[0153]  かくして、方法１４００は、ワイヤレス通信を提供し得る。方法１４００は、単に１つのインプリメンテーションに過ぎず、方法１４００の動作は、他のインプリメンテーションが可能になるように、再配置され、またはそうでない場合は修正され得ることに留意されたい。
【０１４３】
[0154]  図１５は、本開示のさまざまな態様にしたがって、ワイヤレス通信のための方法１５００の例を例示するフローチャートである。明確にするために、方法１５００は、図１乃至６および９および１３を参照して説明されたＵＥ１１５の１つまたは複数の態様、および／または図７および８を参照して説明されたデバイス７０５の１つまたは複数の態様を参照して以下に説明される。さらに、方法１５００は、１つまたは複数の基地局１０５の態様を参照して、例えば、これらの基地局がＨＡＲＱフィードバックをＵＥに送信する場合に、使用され得る。いくつかの例では、ＵＥまたは基地局は、ＵＥまたは基地局の機能的要素を制御して以下に説明される機能を実施するためにコードの１つまたは複数のセットを実行し得る。さらに、または代わって、ＵＥまたは基地局は、専用ハードウェアを使用して以下に説明される機能の１つまたは複数の機能を実施し得る。
【０１４４】
[0155]  ブロック１５０５において、方法１５００は、データ送信を受信することを含み得る。データ送信は、例えば、基地局または何らかの他の送信デバイスからのものであり得る。ブロック１５０５における動作は、図７または８を参照して説明されたＵＥ受信機モジュール７１０を使用して実施され得る。
【０１４５】
[0156]  ブロック１５１０において、方法１５００は、データ送信に応答してＨＡＲＱフィードバックとして含むための情報を決定するための条件を判断することを含み得る。判断されるべき条件は、送信デバイスから送られ得、ＨＡＲＱフィードバック動作が修正されるべきことの指示を含み得る。代わって、判断されるべき条件は、チャネルまたはトラフィック条件を含み得る。ブロック１５１０における動作は、図８を参照して説明されたＨＡＲＱフィードバック動作修正決定モジュール８０５を使用して実施され得る。
【０１４６】
[0157]  判断された条件に基づいて、ＨＡＲＱフィードバック動作は、多数の異なる方法で修正され得る。これらのうちのいくつかは、ブロック１５１５、１５２０、および１５２５において例示される。
【０１４７】
[0158]  ブロック１５１５において、方法１５００は、ＨＡＲＱフィードバックをオフにすることを含み得る。ブロック１４１５における動作は、図８を参照して説明されたＨＡＲＱフィードバック・ターン・オフ・モジュール８１０を使用して実施され得る。ブロック１５２０において、方法１５００は、ＮＡＫ報告を排除するためにＨＡＲＱフィードバック動作を修正することを含み得る。ＮＡＫ報告の排除は、２つの状態のＨＡＲＱフィードバック報告にしたがい得、または通常の３つの状態のＨＡＲＱフィードバック報告におけるＮＡＫ報告を時として省略することを示し得る。ブロック１５２０における動作は、図８を参照して説明されたＨＡＲＱフィードバック動作修正モジュール８１５を使用して実施され得る。ブロック１５２５において、方法１５００は、ＡＣＫ報告を排除するためにＨＡＲＱフィードバック動作を修正することを含み得る。ＡＣＫ報告の排除は、２つの状態のＨＡＲＱフィードバック報告にしたがい得、または通常の３つの状態のＨＡＲＱフィードバック報告におけるＡＣＫ報告を時として省略することを示し得る。ブロック１５２５における動作は、図８を参照して説明されたＨＡＲＱフィードバック動作修正モジュール８１５を使用して実施され得る。
【０１４８】
[0160]  かくして、方法１５００は、ワイヤレス通信を提供し得る。方法１５００は、単に１つのインプリメンテーションに過ぎず、方法１５００の動作は、他のインプリメンテーションが可能になるように、再配置され、またはそうでない場合は修正され得ることに留意されたい。
【０１４９】
[0161]  図１６は、本開示のさまざまな態様にしたがって、ワイヤレス通信のための方法１６００の例を例示するフローチャートである。明確にするために、方法１６００は、図１乃至６および１２および１３を参照して説明された基地局１０５の１つまたは複数の態様、および／または図１０および１１を参照して説明された装置１００５の１つまたは複数の態様を参照して以下に説明される。さらに、方法１６００は、１つまたは複数のＵＥ１１５の態様を参照して、例えば、これらのＵＥが基地局からＨＡＲＱフィードバックを受信する場合に、使用され得る。いくつかの例において、基地局またはＵＥは、以下に説明される機能を実施するために基地局またはＵＥの機能的な要素を制御するためのコードの１つまたは複数のセットを実行し得る。さらに、または代わって、基地局またはＵＥは、専用ハードウェアを使用して以下に説明される機能の１つまたは複数を実施し得る。
【０１５０】
[0162]  ブロック１６０５において、方法１６００は、ＨＡＲＱフィードバック動作が修正されるべきことの指示を送信することを含み得る。指示は、デバイス固有の構成を含み得、または、例えば、制御チャネルにおけるインジケータを含み得る。指示は、明示的または暗黙的であり得る。暗黙的なインジケータの一例は、ＨＡＲＱフィードバック動作が修正されるべきことを受信デバイスに指示するために、特定のＭＣＳインデックスの使用を含む。ブロック１６０５における動作は、図１１を参照して説明されたＨＡＲＱフィードバック動作修正決定モジュール１１０５またはＨＡＲＱフィードバック動作修正送信モジュール１１１０を使用して実施され得る。
【０１５１】
[0163]  ブロック１６１０において、方法１６００は、指示にしたがって、ＨＡＲＱフィードバックの不在、またはＨＡＲＱフィードバックを受信することを含み得る。受信されたＨＡＲＱフィードバックは、例えば、ＡＣＫまたはＮＡＫ報告を排除し得る。ブロック１６１０における動作は、図１１を参照して説明されたＨＡＲＱフィードバック受信モジュール１１１５を使用して実施され得る。
【０１５２】
[0164]  かくして、方法１６００は、ワイヤレス通信を提供し得る。方法１６００は、単に１つのインプリメンテーションに過ぎず、方法１６００の動作は、他のインプリメンテーションが可能になるように、再配置され、またはそうでない場合は修正され得ることに留意されたい。
【０１５３】
[0165]  図１７は、本開示のさまざまな態様にしたがって、ワイヤレス通信のための方法１７００の例を例示するフローチャートである。明確にするために、方法１７００は、図１乃至６、１２および１３を参照して説明された基地局１０５の１つまたは複数の態様、および／または図１０および１１を参照して説明された装置１００５の１つまたは複数の態様を参照して以下に説明される。さらに、方法１７００は、１つまたは複数のＵＥ１１５の態様を参照して、例えば、これらのＵＥが基地局からＨＡＲＱフィードバックを受信する場合に、使用され得る。いくつかの例において、基地局またはＵＥは、以下に説明される機能を実施するために基地局またはＵＥの機能的な要素を制御するためのコードの１つまたは複数のセットを実行し得る。さらに、または代わって、基地局またはＵＥは、専用ハードウェアを使用して以下に説明される機能の１つまたは複数の機能を実施し得る。
【０１５４】
[0166]  ブロック１７０５において、方法１７００は、ＨＡＲＱフィードバック動作が修正されるべきことの指示を送信することを含み得る。指示は、デバイス固有の構成を含み得、または、例えば、制御チャネルにおけるインジケータを含み得る。指示は、明示的または暗黙的であり得る。暗黙的なインジケータの一例は、ＨＡＲＱフィードバック動作が修正されるべきことを受信デバイスに指示するために、特定のＭＣＳインデックスの使用を含む。ブロック１７０５における動作は、図１１を参照して説明されたＨＡＲＱフィードバック動作修正決定モジュール１１０５またはＨＡＲＱフィードバック動作修正送信モジュール１１１０を使用して実施され得る。
【０１５５】
[0167]  ブロック１７０５において送られる指示は、異なるタイプのＨＡＲＱフィードバック動作修正を含み得、それらのうちいくつかは、ブロック１７１０、１７１５、および１７２０において例示されている。
【０１５６】
[0168]  ブロック１７１０において、指示は、ＨＡＲＱフィードバックがＨＡＲＱフィードバックをオフにすることによって修正されるべきことを指示する。この場合では、指示は、準静的指示（例えばアップデートされた構成）または動的指示（例えば制御チャネルにおけるインジケータ）であり得る。指示は、上述されたように、明示的または暗黙的であり得る。ブロック１７１０における動作は、図１１を参照して説明されたＨＡＲＱフィードバック動作修正決定モジュール１１０５またはＨＡＲＱフィードバック動作修正送信モジュール１１１０を使用して実施され得る。
【０１５７】
[0169]  ブロック１７１５において、指示は、ＨＡＲＱフィードバックがＮＡＫ報告を排除することによって修正されるべきことを指示する。この場合では、指示は、動的指示（例えば制御チャネルにおけるインジケータ）であり得る。指示は、上述されたように、明示的または暗黙的であり得る。ブロック１７１５における動作は、図１１を参照して説明されたＨＡＲＱフィードバック動作修正決定モジュール１１０５またはＨＡＲＱフィードバック動作修正送信モジュール１１１０を使用して実施され得る。
【０１５８】
[0170]  ブロック１７２０において、指示は、ＨＡＲＱフィードバックがＡＣＫ報告を排除することによって修正されるべきことを指示する。この場合では、指示は、動的指示（例えば制御チャネルにおけるインジケータ）であり得る。指示は、上述されたように、明示的または暗黙的であり得る。ブロック１７２０における動作は、図１１を参照して説明されたＨＡＲＱフィードバック動作修正決定モジュール１１０５またはＨＡＲＱフィードバック動作修正送信モジュール１１１０を使用して実施され得る。
【０１５９】
[0171]  インジケータが、ＨＡＲＱフィードバックが生じるが、例えば（ブロック１７１５、１７２０のように）ＮＡＫまたはＡＣＫ方向の排除を通じて、修正されるべきことを指示する場合、方法１７００はさらに、ブロック１７２５を含み得る。ブロック１７２５において、方法１７００は、指示にしたがって、ＨＡＲＱフィードバックを受信することを含み得る。ブロック１７２５における動作は、図１１を参照して説明されたＨＡＲＱフィードバック受信モジュール１１１５を使用して実施され得る。
【０１６０】
[0172]  かくして、方法１７００は、ワイヤレス通信を提供し得る。方法１７００は、単に１つのインプリメンテーションに過ぎず、方法１７００の動作は、他のインプリメンテーションが可能になるように、再配置され、またはそうでない場合は修正され得ることに留意されたい。
【０１６１】
[0173]  図１８は、本開示のさまざまな態様にしたがって、ワイヤレス通信のための方法１８００の例を例示するフローチャートである。明確にするために、方法１８００は、図１乃至６、９および１３を参照して説明されたＵＥ１１５の１つまたは複数の態様、および／または図７および８を参照して説明されたデバイス７０５の１つまたは複数の態様を参照して以下に説明される。いくつかの例において、ＵＥは、以下に説明される機能を実施するためにＵＥの機能的な要素を制御するためのコードの１つまたは複数のセットを実行し得る。さらに、または代わって、ＵＥは、専用ハードウェアを使用して以下に説明される機能の１つまたは複数の機能を実施し得る。
【０１６２】
[0174]  ブロック１８０５において、方法１８００は、送信デバイスに報告するための複数のＣＱＩインデックスからＣＱＩインデックスを決定することを含み得、複数のＣＱＩインデックスのうちの少なくともいくつかは、異なるターゲットＢＬＥＲと関連付けされる。いくつかの態様では、これはさらに、ＣＱＩインデックスが関わるデータ送信に応答してＨＡＲＱフィードバックを提供するかどうかの決定に少なくとも部分的に基づいて、複数のＣＱＩインデックスの少なくともいくつかと異なるＢＬＥＲを関連付けすることを含み得る。ブロック１８０５における動作は、図９を参照して説明されたＣＱＩ送信モジュール９２５を使用して実施され得る。
【０１６３】
[0175]  ブロック１８１０において、方法１８００は、ＣＱＩインデックスを報告することを含み得る。ブロック１８１０における動作は、図９を参照して説明されたＵＥトランシーバ・モジュール９３５と組み合わせてＣＱＩ送信モジュール９２５を使用して実施され得る。
【０１６４】
[0176]  かくして、方法１８００は、ワイヤレス通信を提供し得る。方法１８００は、単に１つのインプリメンテーションに過ぎず、方法１８００の動作は、他のインプリメンテーションが可能になるように、再配置され、またはそうでない場合は修正され得ることに留意されたい。
【０１６５】
[0177]  図１９は、本開示のさまざまな態様にしたがって、ワイヤレス通信のための方法１９００の例を例示するフローチャートである。明確にするために、方法１９００は、図１乃至６、１２および１３を参照して説明された基地局１０５の１つまたは複数の態様、および／または図１０および１１を参照して説明された装置１００５の１つまたは複数の態様を参照して以下に説明される。いくつかの例において、基地局は、以下に説明される機能を実施するために基地局の機能的な要素を制御するためのコードの１つまたは複数のセットを実行し得る。さらに、または代わって、基地局は、専用ハードウェアを使用して以下に説明される機能の１つまたは複数の機能を実施し得る。
【０１６６】
[0178]  ブロック１９０５において、方法１９００は、受信デバイスへのデータ送信における使用のために複数のＭＣＳインデックスから１つのＭＣＳインデックスを決定することを含み得、複数のＭＣＳインデックスのうちの少なくともいくつかは、異なるターゲットＢＬＥＲに関連付けされる。いくつかの例において、これはまた、受信デバイスがＨＡＲＱフィードバックを報告するかどうかに少なくとも部分的に基づいて複数のＭＣＳインデックスのうちの少なくともいくつかと異なるＢＬＥＲを関連付けすることを含み得る。ブロック１９０５における動作は、図１２を参照して説明されたＭＣＳアプリケーション・モジュール１２１５を使用して実施され得る。
【０１６７】
[0179]  ブロック１９１０において、方法１９００は、ＭＣＳインデックスを使用して受信デバイスにデータ送信を送信することを含み得る。ブロック１９１０における動作は、図１２を参照して説明された（１つまたは複数の）基地局トランシーバ・モジュール１２５０およびＭＣＳアプリケーション・モジュール１２１５の組合せを使用して実施され得る。
【０１６８】
[0180]  かくして、方法１９００は、ワイヤレス通信を提供し得る。方法１９００は、単に１つのインプリメンテーションに過ぎず、方法１９００の動作は、他のインプリメンテーションが可能になるように、再配置され、またはそうでない場合は修正され得ることに留意されたい。
【０１６９】
[0181]  いくつかの例において、方法１４００乃至１９００のうちの２つ以上からの態様が組み合わされ得る。方法１４００乃至１９００は、単に例としてのインプリメンテーションに過ぎず、方法１４００乃至１９００の動作は、他のインプリメンテーションが可能になるように、再配置され、またはそうでない場合は修正され得ることに留意されたい。
【０１７０】
[0182]  さらに、上述の方法および説明がＵＥから基地局へ送られるＨＡＲＱフィードバックに主に着目している一方で、それらの方法および説明は、基地局からＵＥへ送られるＨＡＲＱフィードバックにも同様に適用し得る。一般に、上述の方法および説明は、受信デバイス（データ送信を受信したデバイス）から送信デバイス（データ送信を送ったデバイス）へ送られるＨＡＲＱフィードバックに適用し得る。ＨＡＲＱフィードバック動作への修正は、ＤＬ ＨＡＲＱおよびＵＬ ＨＡＲＱフィードバックの両方に、または、ＤＬ ＨＡＲＱおよびＵＬ ＨＡＲＱフィードバックのうちのただ１つに、適用され得る。
【０１７１】
[0183]  本書で説明される技術は、ＣＤＭＡ、ＴＤＭＡ、ＦＤＭＡ、ＯＦＤＭＡ、ＳＣ−ＦＤＭＡ、および他のシステムのようなさまざまなワイヤレス通信システムに対して使用され得る。「システム」および「ネットワーク」という用語は、交換可能に使用されることが多い。ＣＤＭＡシステムは、ＣＤＭＡ２０００、ユニバーサル地上無線アクセス（ＵＴＲＡ）などのような無線技術をインプリメントし得る。ＣＤＭＡ２０００は、ＩＳ−２０００、ＩＳ−９５、およびＩＳ−８５６規格をカバーする。ＩＳ−２０００リリース０およびＡは一般的に、ＣＤＭＡ２０００ １Ｘ、１Ｘなどと呼ばれる。ＩＳ−８５６（ＴＩＡ−８５６）は、一般に、ＣＤＭＡ２０００ １ｘＥＶ−ＤＯ、高速パケット・データ（ＨＲＰＤ）などと呼ばれる。ＵＴＲＡは、広帯域ＣＤＭＡ（ＷＣＤＭＡ（登録商標））およびＣＤＭＡの他の変形物を含む。ＴＤＭＡシステムは、モバイル通信のためのグローバル・システム（ＧＳＭ（登録商標））のような無線技術をインプリメントし得る。ＯＦＤＭＡシステムは、ウルトラ・モバイル・ブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ（登録商標）などのような無線技術をインプリメントし得る。ＵＴＲＡおよびＥ-ＵＴＲＡは、ユニバーサル・モバイル電気通信システム（ＵＭＴＳ）の一部である。３ＧＰＰ ＬＴＥおよびＬＴＥ−Ａは、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、３ＧＰＰという名称の機関からの文書に説明されている。ＣＤＭＡ２０００およびＵＭＢは、「第３世代パートナーシップ・プロジェクト２」（３ＧＰＰ２）という名称の団体からの文書に説明されている。本書で説明された技術は、上述されたシステムおよび無線技術、ならびに、無認可の、および／または共有の帯域幅上でセルラ式の（例えば、ＬＴＥ）通信を含む、他のシステムおよび無線技術に対して使用され得る。上記の説明は、しかしながら、実例を目的としてＬＴＥ／ＬＴＥ−Ａシステムを説明しており、ＬＴＥの専門用語が上記の説明の大部分中で使用されているが、本技術は、ＬＴＥ／ＬＴＥ−Ａアプリケーションを超えて適用可能である。
【０１７２】
[0184]  添付された図面に関連して上述された詳細な説明は、例を説明しており、インプリメントされ得るまたは特許請求の範囲の範囲内にある例のみを表してはいない。「例（example）」、「例証的（exemplary）」という用語は、本説明中で使用されるとき、「例、事例、または例示としての役割を果たす」ことを意味し、「好ましい」または「他の例に対して有利である」ことを意味しない。詳細な説明は、説明された技術の理解を提供する目的で具体的な詳細を含む。しかしながら、これらの技術は、これらの具体的な詳細なしに実現され得る。いくつかの事例において、良く知られている構造および装置は、説明された例の概念を曖昧にすることを避けるために、ブロック図形式で示される。
【０１７３】
[0185]  情報および信号は、多様な異なる技術および技法のうちの任意のものを使用して表わされ得る。例えば、上記の説明全体を通して参照され得る、データ、命令、コマンド、情報、信号、ビット、シンボル、およびチップは、電圧、電流、電磁波、磁界または磁気粒子、光場または光粒子、もしくはこれらの任意の組み合わせによって表わされ得る。
【０１７４】
[0186]  本書での開示に関連して説明されたさまざまな例示的なブロックおよびコンポーネントは、汎用プロセッサ、デジタル・シグナル・プロセッサ（ＤＳＰ）、ＡＳＩＣ、ＦＰＧＡまたは他のプログラマブル論理デバイス、離散ゲートまたはトランジスタ論理、離散ハードウェア・コンポーネント、あるいは本書で説明された機能を実施するように設計されたそれらの任意の組み合わせを用いてインプリメントまたは実施され得る。汎用プロセッサはマイクロプロセッサであり得るが、代替として、プロセッサは任意の従来のプロセッサ、コントローラ、マイクロコントローラ、またはステート・マシンであり得る。プロセッサはまた、コンピューティング・デバイスの組み合わせ（例えば、ＤＳＰとマイクロプロセッサの組み合わせ、複数のマイクロプロセッサ、ＤＳＰコアに連結した１つまたは複数のマイクロプロセッサ、または他の任意のそのような構成）として、インプリメントされ得る。
【０１７５】
[0187]  本書で説明された機能は、ハードウェア、プロセッサによって実行されるソフトウェア、ファームウェア、またはそれらの任意の組み合わせ中でインプリメントされ得る。プロセッサによって実行されるソフトウェアにインプリメントされる場合、これらの機能は、コンピュータ可読媒体上で、１つまたは複数の命令またはコードとして送信または記憶され得る。他の例およびインプリメンテーションは、本開示および添付された特許請求の範囲の範囲および精神内にある。例えば、ソフトウェアの性質により、上記に説明された機能は、プロセッサによって実行されるソフトウェア、ハードウェア、ファームウェア、ハードワイヤリング、またはこれらのいずれかの組み合わせを使用してインプリメントされることができる。機能をインプリメントする特徴はまた、さまざまな位置において物理的に配置され得、それは、機能の一部が異なる物理的な位置においてインプリメントされるように分配されることを含む。請求項を含む本書で使用される場合、「および／または」という用語は、２つ以上の項目からなるリストで使用されるとき、リストされた項目のうちのいずれか１つが単独で採用され得ること、または、リストされた項目のうちの２つ以上からなる任意の組み合わせが採用され得ることを意味する。例えば、ある構成が、コンポーネントＡ、Ｂ、および／またはＣを含むものとして説明されている場合、この構成は、Ａだけ、Ｂだけ、Ｃだけ、ＡとＢの組み合わせ、ＡとＣの組み合わせ、ＢとＣの組み合わせ、またはＡとＢとＣの組み合わせを含むことができる。また、請求項を含む本書で使用される場合、項目のリスト（例えば、「のうちの少なくとも１つ」または「のうちの１つまたは複数」のようなフレーズで始まる項目のリスト）において使用されるような「または（or）」は、例えば「Ａ、Ｂ、またはＣのうちの少なくとも１つ」のリストが、ＡまたはＢまたはＣ、またはＡＢ、またはＡＣ、またはＢＣ、またはＡＢＣ（すなわち、ＡおよびＢおよびＣ）を意味するような離接的なリスト（disjunctive list）を示す。
【０１７６】
[0188]  コンピュータ可読媒体は、１つの場所から別の場所へのコンピュータ・プログラムの転送を容易にする任意の媒体を含む通信媒体とコンピュータ記憶媒体との両方を含む。記憶媒体は、汎用または専用コンピュータによってアクセスされることができる任意の利用可能な媒体であり得る。限定ではなく例として、コンピュータ可読媒体は、ＲＡＭ、ＲＯＭ、ＥＥＰＲＯＭ（登録商標）、フラッシュ・メモリ、ＣＤ−ＲＯＭまたは他の光ディスク記憶装置、磁気ディスク記憶装置または他の磁気記憶デバイス、あるいは命令またはデータ構造の形態で所望のプログラム・コード手段を搬送または記憶するために使用されることができ、汎用または特殊用途コンピュータ、もしくは汎用または特殊用途プロセッサによってアクセスされることができる任意の他の媒体を備えることができる。また、任意の接続は、厳密にはコンピュータ可読媒体と称される。例えば、ソフトウェアが、同軸ケーブル、光ファイバー・ケーブル、ツイスト・ペア、デジタル加入者回線（ＤＳＬ）、または赤外線、無線、およびマイクロ波のようなワイヤレス技術を使用して、ウェブサイト、サーバ、またはその他の遠隔ソースから送信される場合、同軸ケーブル、光ファイバー・ケーブル、ツイスト・ペア、ＤＳＬ、または赤外線、無線、およびマイクロ波のようなワイヤレス技術は、媒体の定義に含まれる。ディスク（disk）およびディスク（disc）は、本書で使用される場合、コンパクト・ディスク（ＣＤ）（disc）、レーザー・ディスク（disc）、光ディスク（disc）、デジタル多用途ディスク（ＤＶＤ）（disc）、フロッピー（登録商標）ディスク（disk）およびＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。上記の組み合わせもまた、コンピュータ可読媒体の範囲内に含まれる。
【０１７７】
[0189]  本開示の先の説明は、当業者が本開示を製造または使用することを可能にするために提供される。本開示に対するさまざまな修正は、当業者にとって容易に明らかとなり、本書で定義された包括的な原理は、本開示の範囲から逸脱しないで他の変形に適用され得る。かくして、本開示は、本書に説明された例および設計に限定されるべきではなく、本書に開示された原理および新規の特徴と矛盾しない最も広い範囲であると認められるべきである。
以下に本願の出願当初の特許請求の範囲に記載された発明を付記する。
［Ｃ１］
受信デバイスにおけるワイヤレス通信のための方法であって、
データ送信を受信することと、
前記データ送信に応答してハイブリッド自動再送要求（ＨＡＲＱ）フィードバックとして含むための情報を決定するための条件を判断することと、
前記条件に少なくとも部分的に基づいてＨＡＲＱフィードバック動作を修正することと、を備える、方法。
［Ｃ２］
ＨＡＲＱフィードバックがオフにされるべきであることを指示するデバイス構成を受信することをさらに備え、ここにおいて前記デバイス構成は、判断されるべき前記条件である、Ｃ１に記載の方法。
［Ｃ３］
前記データ送信のためのＨＡＲＱフィードバックがオフにされるべきであることの指示を制御チャネルにおいて受信することをさらに備え、ここにおいて前記指示は、判断されるべき前記条件である、Ｃ１に記載の方法。
［Ｃ４］
ＨＡＲＱフィードバックとして含むための情報を決定するための前記条件を判断することは、
前記受信デバイスが電力制限されていることを決定することと、前記決定に少なくとも部分的に基づいて、ＨＡＲＱフィードバックがオフにされるべきことを決定することと、を備える、Ｃ１に記載の方法。
［Ｃ５］
ＨＡＲＱフィードバックとして含むための情報を決定するための前記条件を判断することは、
変調および符号化スキーム（ＭＣＳ）インデックスを受信することと、
前記ＭＣＳインデックスがＭＣＳインデックスしきい値を下回ることを決定することと、前記決定に少なくとも部分的に基づいて、ＨＡＲＱフィードバックがオフにされるべきことを決定することと、を備える、Ｃ１に記載の方法。
［Ｃ６］
前記条件に少なくとも部分的に基づいて前記ＨＡＲＱフィードバック動作を修正することは、
否定応答（ＮＡＫ）報告を排除するために前記ＨＡＲＱフィードバック動作を修正することを備える、Ｃ１に記載の方法。
［Ｃ７］
ＮＡＫ報告を排除するために前記ＨＡＲＱフィードバック動作を修正することは、制御チャネルにおいて受信される指示に少なくとも部分的に基づいてＮＡＫ報告を排除することと、前記受信デバイスにおける基準信号の受信された電力が所定のしきい値を下回ることの決定に少なくとも部分的に基づいてＮＡＫ報告を排除することとのどちらか一方または両方を備える、Ｃ６に記載の方法。
［Ｃ８］
前記条件に少なくとも部分的に基づいて前記ＨＡＲＱフィードバック動作を修正することは、
肯定応答（ＡＣＫ）報告を排除するために前記ＨＡＲＱフィードバック動作を修正することを備える、Ｃ１に記載の方法。
［Ｃ９］
ＡＣＫ報告を排除するために前記ＨＡＲＱフィードバック動作を修正することは、制御チャネルにおいて受信される指示に少なくとも部分的に基づいてＡＣＫ報告を排除することと、前記受信デバイスが電力制限されていることの決定に少なくとも部分的に基づいてＡＣＫ報告を排除することと、前記受信デバイスにおける基準信号の受信された電力が所定のしきい値を上回ることの決定に少なくとも部分的に基づいてＡＣＫ報告を排除することとの、少なくとも１つを備える、Ｃ８に記載の方法。
［Ｃ１０］
ＨＡＲＱフィードバックとして含むための情報を決定するための前記条件を判断することは、
チャネルまたはトラフィック条件を決定することを備える、Ｃ１に記載の方法。
［Ｃ１１］
前記条件に少なくとも部分的に基づいて前記ＨＡＲＱフィードバック動作を修正することは、
前記データ送信のために使用される送信時間インターバル（ＴＴＩ）より長いＨＡＲＱフィードバックのためのＴＴＩを使用することを備える、Ｃ１に記載の方法。
［Ｃ１２］
前記ＨＡＲＱフィードバック動作が修正されたことの指示を、前記データ送信を送った送信デバイスに送信することをさらに備える、Ｃ１に記載の方法。
［Ｃ１３］
前記指示を送信することは、
非周期的な要求に応答して、または周期的に、前記指示を送信することを備える、Ｃ１２に記載の方法。
［Ｃ１４］
前記指示を送信することは、
メディア・アクセス制御（ＭＡＣ）レイヤ・ペイロードの一部として、または物理レイヤ・ペイロードの一部として前記指示を含むことを備える、Ｃ１２に記載の方法。
［Ｃ１５］
受信デバイスにおけるワイヤレス通信のための装置であって、
データ送信を受信するための手段と、
前記データ送信に応答してハイブリッド自動再送要求（ＨＡＲＱ）フィードバックとして含むための情報を決定するための条件を判断するための手段と、
前記条件に少なくとも部分的に基づいてＨＡＲＱフィードバック動作を修正するための手段と、を備える、装置。
［Ｃ１６］
ＨＡＲＱフィードバックがオフにされるべきであることを指示するデバイス構成を受信するための手段をさらに備え、ここにおいて前記デバイス構成は、判断されるべき前記条件である、Ｃ１５に記載の装置。
［Ｃ１７］
前記データ送信のためのＨＡＲＱフィードバックがオフにされるべきであることの指示を制御チャネルにおいて受信するための手段をさらに備え、ここにおいて前記指示は、判断されるべき前記条件である、Ｃ１５に記載の装置。
［Ｃ１８］
ＨＡＲＱフィードバックとして含むための情報を決定するための前記条件を判断するための前記手段は、
前記受信デバイスが電力制限されていることを決定することと、前記決定に少なくとも部分的に基づいて、ＨＡＲＱフィードバックがオフにされるべきことを決定するための手段と、を備える、Ｃ１５に記載の装置。
［Ｃ１９］
ＨＡＲＱフィードバックとして含むための情報を決定するための前記条件を判断するための前記手段は、
変調および符号化スキーム（ＭＣＳ）インデックスを受信するための手段と、
前記ＭＣＳインデックスがＭＣＳインデックスしきい値を下回ることを決定し、前記決定に少なくとも部分的に基づいて、ＨＡＲＱフィードバックがオフにされるべきことを決定するための手段と、を備える、Ｃ１５に記載の装置。
［Ｃ２０］
前記条件に少なくとも部分的に基づいて前記ＨＡＲＱフィードバック動作を修正するための前記手段は、
否定応答（ＮＡＫ）報告を排除するために前記ＨＡＲＱフィードバック動作を修正するための手段を備える、Ｃ１５に記載の装置。
［Ｃ２１］
ＮＡＫ報告を排除するために前記ＨＡＲＱフィードバック動作を修正するための前記手段は、制御チャネルにおいて受信される指示に少なくとも部分的に基づいてＮＡＫ報告を排除するための手段と、前記受信デバイスにおける基準信号の受信された電力が所定のしきい値を下回ることの決定に少なくとも部分的に基づいてＮＡＫ報告を排除するための手段とのどちらか一方または両方を備える、Ｃ２０に記載の装置。
［Ｃ２２］
前記条件に少なくとも部分的に基づいて前記ＨＡＲＱフィードバック動作を修正するための前記手段は、
肯定応答（ＡＣＫ）報告を排除するために前記ＨＡＲＱフィードバック動作を修正するための手段を備える、Ｃ１５に記載の装置。
［Ｃ２３］
ＡＣＫ報告を排除するために前記ＨＡＲＱフィードバック動作を修正するための前記手段は、制御チャネルにおいて受信される指示に少なくとも部分的に基づいてＡＣＫ報告を排除するための手段と、前記受信デバイスが電力制限されていることの決定に少なくとも部分的に基づいてＡＣＫ報告を排除するための手段と、前記受信デバイスにおける基準信号の受信された電力が所定のしきい値を上回ることの決定に少なくとも部分的に基づいてＡＣＫ報告を排除するための手段との、少なくとも１つを備える、Ｃ２２に記載の装置。
［Ｃ２４］
ＨＡＲＱフィードバックとして含むための情報を決定するための前記条件を判断するための前記手段は、
チャネルまたはトラフィック条件を決定するための手段を備える、Ｃ１５に記載の装置。
［Ｃ２５］
前記条件に少なくとも部分的に基づいて前記ＨＡＲＱフィードバック動作を修正するための前記手段は、
前記データ送信のために使用される送信時間インターバル（ＴＴＩ）より長いＨＡＲＱフィードバックのためのＴＴＩを使用するための手段を備える、Ｃ１５に記載の装置。
［Ｃ２６］
前記ＨＡＲＱフィードバック動作が修正されたことの指示を、前記データ送信を送った送信デバイスに送信するための手段をさらに備える、Ｃ１５に記載の装置。
［Ｃ２７］
前記指示を送信するための前記手段は、
非周期的な要求に応答して、または周期的に、前記指示を送信するための手段を備える、Ｃ２６に記載の装置。
［Ｃ２８］
前記指示を送信するための前記手段は、
メディア・アクセス制御（ＭＡＣ）レイヤ・ペイロードの一部として、または物理レイヤ・ペイロードの一部として前記指示を含むための手段を備える、Ｃ２６に記載の装置。
［Ｃ２９］
受信デバイスにおけるワイヤレス通信のための装置であって、
プロセッサと、
前記プロセッサと電子通信状態にあるメモリと、
前記メモリに記憶された命令と、を備え、前記命令は、
データ送信を受信することと、
前記データ送信に応答してハイブリッド自動再送要求（ＨＡＲＱ）フィードバックとして含むための情報を決定するための条件を判断することと、
前記条件に少なくとも部分的に基づいてＨＡＲＱフィードバック動作を修正することと、を前記プロセッサによって実行可能である、装置。
［Ｃ３０］
送信デバイスにおけるワイヤレス通信のための方法であって、
ハイブリッド自動再送要求（ＨＡＲＱ）フィードバック動作が修正されるべきであることの指示を送信することと、
前記指示にしたがってＨＡＲＱフィードバックの不在またはＨＡＲＱフィードバックを受信することと、を備える、方法。
［Ｃ３１］
前記ＨＡＲＱフィードバック動作が修正されるべきであることの前記指示を送信することは、
ＨＡＲＱフィードバックがオフにされるべきことを指示するデバイス構成を送信することを備える、Ｃ３０に記載の方法。
［Ｃ３２］
前記ＨＡＲＱフィードバック動作が修正されるべきであることの前記指示を送信することは、
ＨＡＲＱフィードバックがオフにされるべきことの前記指示を制御チャネルにおいて送信することを備える、Ｃ３０に記載の方法。
［Ｃ３３］
前記ＨＡＲＱフィードバック動作が修正されるべきであることの前記指示を送信することは、
変調および符号化スキーム（ＭＣＳ）インデックスしきい値を下回るＭＣＳインデックスを有するデータ送信に関して受信デバイスがＨＡＲＱフィードバックをオフにするべきことを前記受信デバイスに指示するために、前記ＭＣＳインデックスしきい値を送信することを備える、Ｃ３０に記載の方法。
［Ｃ３４］
前記ＭＣＳインデックスしきい値が、無線リソース制御（ＲＲＣ）シグナリングを介して送信される、Ｃ３３に記載の方法。
［Ｃ３５］
前記ＨＡＲＱフィードバック動作が修正されるべきであることの前記指示を送信することは、
前記ＨＡＲＱフィードバック動作が否定応答（ＮＡＫ）報告を排除することによって修正されるべきことの前記指示を送信することを備える、Ｃ３０に記載の方法。
［Ｃ３６］
制御チャネルにおいて前記指示を送信することをさらに備える、Ｃ３５に記載の方法。
［Ｃ３７］
前記ＨＡＲＱフィードバック動作が修正されるべきであることの前記指示を送信することは、
前記ＨＡＲＱフィードバック動作が肯定応答（ＡＣＫ）報告を排除することによって修正されるべきことの前記指示を送信することを備える、Ｃ３０に記載の方法。
［Ｃ３８］
制御チャネルにおいて前記指示を送信することをさらに備える、Ｃ３７に記載の方法。
［Ｃ３９］
サウンディング基準信号（ＳＲＳ）送信を使用してチャネル条件を推定することと、チャネル条件の前記推定に少なくとも基づいて修正されたＨＡＲＱ報告を予期するかどうかを決定することと、をさらに備えるＣ３０に記載の方法。
［Ｃ４０］
前記指示にしたがってＨＡＲＱフィードバックの不在またはＨＡＲＱフィードバックを受信することは、
ＨＡＲＱフィードバックが反応するデータ送信のために使用される送信時間インターバル（ＴＴＩ）より長いＴＴＩにおいてＨＡＲＱフィードバックを受信することを備える、Ｃ３０に記載の方法。
［Ｃ４１］
前記ＨＡＲＱフィードバックを提供するデバイスからＨＡＲＱフィードバック動作修正指示を受信することをさらに備え、前記ＨＡＲＱフィードバック動作修正指示は、前記ＨＡＲＱフィードバック動作が修正されたことを指示する、Ｃ３０に記載の方法。
［Ｃ４２］
前記ＨＡＲＱフィードバック動作修正指示を受信することは、
非周期的な要求に応答して、または周期的に、前記ＨＡＲＱフィードバック動作修正指示を受信することを備える、Ｃ４１に記載の方法。
［Ｃ４３］
前記ＨＡＲＱフィードバック動作修正指示を受信することは、
メディア・アクセス制御（ＭＡＣ）レイヤ・ペイロードの一部として、または物理レイヤ・ペイロードの一部として前記ＨＡＲＱフィードバック動作修正指示を受信することを備える、Ｃ４１に記載の方法。
［Ｃ４４］
送信デバイスにおけるワイヤレス通信のための装置であって、
ハイブリッド自動再送要求（ＨＡＲＱ）フィードバック動作が修正されるべきであることの指示を送信するための手段と、
前記指示にしたがってＨＡＲＱフィードバックの不在またはＨＡＲＱフィードバックを受信するための手段と、を備える、装置。
［Ｃ４５］
前記ＨＡＲＱフィードバック動作が修正されるべきであることの前記指示を送信するための前記手段は、
ＨＡＲＱフィードバックがオフにされるべきことを指示するデバイス構成を送信するための手段を備える、Ｃ４４に記載の装置。
［Ｃ４６］
前記ＨＡＲＱフィードバック動作が修正されるべきであることの前記指示を送信するための前記手段は、
ＨＡＲＱフィードバックがオフにされるべきことの前記指示を制御チャネルにおいて送信するための手段を備える、Ｃ４４に記載の装置。
［Ｃ４７］
前記ＨＡＲＱフィードバック動作が修正されるべきであることの前記指示を送信するための前記手段は、
変調および符号化スキーム（ＭＣＳ）インデックスしきい値を下回るＭＣＳインデックスを有するデータ送信に関して受信デバイスがＨＡＲＱフィードバックをオフにするべきことを前記受信デバイスに指示するために、前記ＭＣＳインデックスしきい値を送信するための手段を備える、Ｃ４４に記載の装置。
［Ｃ４８］
前記ＭＣＳインデックスしきい値が、無線リソース制御（ＲＲＣ）シグナリングを介して送信される、Ｃ４７に記載の装置。
［Ｃ４９］
前記ＨＡＲＱフィードバック動作が修正されるべきであることの前記指示を送信するための前記手段は、
前記ＨＡＲＱフィードバック動作が否定応答（ＮＡＫ）報告を排除することによって修正されるべきことの前記指示を送信するための手段を備える、Ｃ４４に記載の装置。
［Ｃ５０］
制御チャネルにおいて前記指示を送信するための手段をさらに備える、Ｃ４９に記載の装置。
［Ｃ５１］
前記ＨＡＲＱフィードバック動作が修正されるべきであることの前記指示を送信するための前記手段は、
前記ＨＡＲＱフィードバック動作が肯定応答（ＡＣＫ）報告を排除することによって修正されるべきことの前記指示を送信するための手段を備える、Ｃ４４に記載の装置。
［Ｃ５２］
制御チャネルにおいて前記指示を送信するための手段をさらに備える、Ｃ５１に記載の装置。
［Ｃ５３］
サウンディング基準信号（ＳＲＳ）送信を使用してチャネル条件を推定するための手段と、
チャネル条件の前記推定に少なくとも基づいて修正されたＨＡＲＱ報告を予期するかどうかを決定するための手段と、をさらに備えるＣ４４に記載の装置。
［Ｃ５４］
前記指示にしたがってＨＡＲＱフィードバックの不在またはＨＡＲＱフィードバックを受信するための前記手段は、
ＨＡＲＱフィードバックが反応するデータ送信のために使用される送信時間インターバル（ＴＴＩ）より長いＴＴＩにおいてＨＡＲＱフィードバックを受信するための手段を備える、Ｃ４４に記載の装置。
［Ｃ５５］
前記ＨＡＲＱフィードバックを提供するデバイスからＨＡＲＱフィードバック動作修正指示を受信するための手段をさらに備え、前記ＨＡＲＱフィードバック動作修正指示は、前記ＨＡＲＱフィードバック動作が修正されたことを指示する、Ｃ４４に記載の装置。
［Ｃ５６］
前記ＨＡＲＱフィードバック動作修正指示を受信するための前記手段は、
非周期的な要求に応答して、または周期的に、前記ＨＡＲＱフィードバック動作修正指示を受信するための手段を備える、Ｃ５５に記載の装置。
［Ｃ５７］
前記ＨＡＲＱフィードバック動作修正指示を受信するための前記手段は、
メディア・アクセス制御（ＭＡＣ）レイヤ・ペイロードの一部として、または物理レイヤ・ペイロードの一部として前記ＨＡＲＱフィードバック動作修正指示を受信するための手段を備える、Ｃ５５に記載の装置。
［Ｃ５８］
送信デバイスにおけるワイヤレス通信のための装置であって、プロセッサと、
前記プロセッサと電子通信状態にあるメモリと、
前記メモリに記憶された命令と、を備え、前記命令は、
ハイブリッド自動再送要求（ＨＡＲＱ）フィードバック動作が修正されるべきであることの指示を送信することと、
前記指示にしたがってＨＡＲＱフィードバックの不在またはＨＡＲＱフィードバックを受信することと、を前記プロセッサによって実行可能である、装置。
【図１】
0006768685.tif 000002
【図２】
0006768685.tif 000003
【図３】
0006768685.tif 000004
【図４】
0006768685.tif 000005
【図５】
0006768685.tif 000006
【図６】
0006768685.tif 000007
【図７】
0006768685.tif 000008
【図８】
0006768685.tif 000009
【図９】
0006768685.tif 000010
【図１０】
0006768685.tif 000011
【図１１】
0006768685.tif 000012
【図１２】
0006768685.tif 000013
【図１３】
0006768685.tif 000014
【図１４】
0006768685.tif 000015
【図１５】
0006768685.tif 000016
【図１６】
0006768685.tif 000017
【図１７】
0006768685.tif 000018
【図１８】
0006768685.tif 000019
【図１９】
0006768685.tif 000020